(57)【要約】【課題】制御基板の不正対策をより確実に図ることのできる遊技機を提供する。【解決手段】パチンコ機１０は、後方に開口する略箱状のボックスベースと、ボックスベースの開口部を閉塞するボックスカバーとを具備し、制御装置を収容する基板ボックスと、基板ボックスに貼着される封印シールと、封印シールを覆うようにして基板ボックスに取付けられ、透視性を有する保護カバーとを備えている。基板ボックスのうち封印シールが貼着される貼着部（カバー側板状部）は、保護カバーを基板ボックスから取外す際に、保護カバーと連動して変位する可動部と、連動しない固定部とを備えている。また、保護カバーと基板ボックスとの連接部には、工具を挿入させ、てこの要領で保護カバーを取外し可能とする工具挿入部が形成されている。【選択図】      図１
2014166410.tif 000002
【特許請求の範囲】
【請求項１】
第１構成部と第２構成部とを具備し、前記第１構成部と前記第２構成部との間に制御装置を収容する収容ボックスと、
前記収容ボックスに固着されるシート状のシール手段と、
前記シール手段を覆うようにして前記収容ボックスに取付けられ、透視性を有する保護カバーと、
前記保護カバーとは別体として構成されるとともに、前記保護カバーを前記収容ボックスから取外す場合に前記保護カバーと連動する可動部とを備え、
前記保護カバーを前記収容ボックスから取外す場合に、前記可動部が前記保護カバーに連動することで、前記シール手段に対して所定の痕跡が形成され得る構成において、
前記保護カバー、又は、前記保護カバーと前記収容ボックスとの連接部には、工具を挿入させ、前記可動部を変位させ易くすることのできる工具挿入部が形成されていることを特徴とする遊技機。
【発明の詳細な説明】
【技術分野】
【０００１】
本発明は、パチンコ機等の遊技機に関するものである。
【背景技術】
【０００２】
遊技機の一種として、パチンコ遊技機やスロットマシン等が知られている。これらの遊技機は、ＣＰＵ等の電子部品が実装された制御基板を備えている。
【０００３】
この種の遊技機においては、制御基板に対しての不正行為が数多く報告されている（例えば特許文献１参照）。
【先行技術文献】
【特許文献】
【０００４】
【特許文献１】特開２００３−１８０９１７号公報
【発明の概要】
【発明が解決しようとする課題】
【０００５】
そこで、制御基板に対するより一層の不正対策が求められている。なお、上記課題は、パチンコ機に限らず、同様の構造を有する他の遊技機にも該当する問題である。
【０００６】
本発明は、上記例示した問題点等を解決するためになされたものであり、その目的は、制御装置の不正対策をより確実に図ることのできる遊技機を提供することにある。
【課題を解決するための手段】
【０００７】
本発明の遊技機は、
第１構成部と第２構成部とを具備し、前記第１構成部と前記第２構成部との間に制御装置を収容する収容ボックスと、
前記収容ボックスに固着されるシート状のシール手段と、
前記シール手段を覆うようにして前記収容ボックスに取付けられ、透視性を有する保護カバーと、
前記保護カバーとは別体として構成されるとともに、前記保護カバーを前記収容ボックスから取外す場合に前記保護カバーと連動する可動部とを備え、
前記保護カバーを前記収容ボックスから取外す場合に、前記可動部が前記保護カバーに連動することで、前記シール手段に対して所定の痕跡が形成され得る構成において、
前記保護カバー、又は、前記保護カバーと前記収容ボックスとの連接部には、工具を挿入させ、前記可動部を変位させ易くすることのできる工具挿入部が形成されていることを特徴としている。
【発明の効果】
【０００８】
本発明によれば、制御装置の不正対策をより確実に図ることができる。
【図面の簡単な説明】
【０００９】
【図１】一実施形態におけるパチンコ機を示す正面図である。
【図２】パチンコ機を示す斜視図である。
【図３】内枠及び前面枠セットを開放した状態を示す斜視図である。
【図４】内枠および遊技盤等の構成を示す正面図である。
【図５】パチンコ機の構成を示す背面図である。
【図６】内枠及び裏パックユニット等を開放した状態を示す斜視図である。
【図７】パチンコ機の主な電気的構成を示すブロック図である。
【図８】基板ボックスの正面（後面）図である。
【図９】基板ボックスの前面図である。
【図１０】基板ボックスの斜視図である。
【図１１】基板ボックスの分解斜視図である。
【図１２】可動部取付前の基板ボックスの斜視図である。
【図１３】封印シール貼着前の基板ボックスの斜視図である。
【図１４】保護カバー取付後の基板ボックスの斜視図である
【図１５】保護カバー取外し後の基板ボックスの斜視図である。
【図１６】保護カバーの斜視図である。
【図１７】別の実施形態における基板ボックスの斜視図である。
【図１８】別の実施形態における基板ボックスの斜視図である。
【図１９】別の実施形態における基板ボックスの断面図である。
【発明を実施するための形態】
【００１０】
以下、パチンコ遊技機（以下、単に「パチンコ機」という）の一実施形態を、図面に基づいて詳細に説明する。ここで、図１はパチンコ機１０の正面図であり、図２は斜視図であり、図３は内枠１２及び前面枠セット１４を開放した状態を示す斜視図である。図４は内枠１２及び遊技盤３０等の構成を示す正面図である。図５はパチンコ機１０の背面図であり、図６は内枠１２及び裏パックユニット２０３等を開放した状態を示す斜視図である。但し、図３では便宜上、遊技盤３０面上に配設される釘や役物、前面枠セット１４に取付けられるガラスユニット１３７等を省略して示している。
【００１１】
図３等に示すように、パチンコ機１０は、当該パチンコ機１０の外郭を構成する外枠１１を備えており、この外枠１１の一側部に内枠１２が開閉可能に支持されている。
【００１２】
外枠１１は、図６等に示すように、上辺枠構成部１１ａ及び下辺枠構成部１１ｂが木製の板材により構成され、左辺枠構成部１１ｃ及び右辺枠構成部１１ｄがアルミニウム合金製の押出成形材により構成され、これら各枠構成部１１ａ〜１１ｄがネジ等の離脱可能な締結具により全体として矩形枠状に組み付けられている。
【００１３】
左辺枠構成部１１ｃの上下端部には、それぞれ上ヒンジ８１及び下ヒンジ８２が取着されている（図１参照）。当該上ヒンジ８１及び下ヒンジ８２にて、内枠１２の上下部が回動可能に支持されており、これにより内枠１２が開閉可能となる。そして、外枠１１の内側に形成される空間部に内枠１２等が収容される。
【００１４】
また、右辺枠構成部１１ｄには、その幅方向後端部近傍から外枠１１内側へ向け突出した延出壁部８３が形成されている。延出壁部８３は、内枠１２の右側部背面側に設けられる施錠装置６００（図６参照）に対応する上下区間全域を内枠１２の背面側から覆っている（図５参照）。加えて、図３に示すように、延出壁部８３の前面側には、施錠装置６００の係止部材が係止される上下一対の受部８４，８５が設けられている。また、下側の受部８５には、後述する内枠開放検知スイッチ９２に当接する押圧部８６が、外枠１１内側に向けて突設されている。
【００１５】
さらに、下辺枠構成部１１ｂには樹脂製の幕板飾り８７が取着されている。幕板飾り８７の上面奥部には、上方に突出するリブ８８が一体形成されている。これにより内枠１２との間に隙間が形成されにくくなっている。
【００１６】
図３に示すように、内枠１２の開閉軸線は、パチンコ機１０の正面からみて左側において上下に沿って設定されており、この開閉軸線を軸心として内枠１２が前方側に開放できるようになっている。内枠１２は、外形が矩形状をなす樹脂ベース３８を主体に構成されており、当該樹脂ベース３８の中央部には略楕円形状の窓孔３９が形成されている。
【００１７】
また、内枠１２の前面側には前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００１８】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００１９】
図１に示すように、前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。加えて、下皿１５の左部には、ＬＥＤが内蔵された演出ボタン１２５が設けられており、演出ボタン１２５を押圧操作することで、後述する装飾図柄表示装置４２等において対応する演出が行われたり、演出内容が変更されたりする。
【００２０】
下皿１５の右方には、手前側に突出した遊技球発射ハンドル（以下、単にハンドルという）１８が設けられている。尚、ハンドル１８には、図示しないタッチセンサや、ハンドル１８の操作部の操作量を検出するための図示しない操作量検出手段（可変抵抗器）が設けられている。そして、ハンドル１８が右回りに回動操作されると、回動操作量に応じた強さで、後述する発射手段としての発射装置６０によって遊技球が発射される。また、ハンドル１８には、ハンドル１８を握った右手の親指で押圧操作可能な発射禁止ボタン１８ａが設けられている。当該発射禁止ボタン１８ａを押圧した状態においては、ハンドル１８を握っていたとしても、発射装置６０による遊技球の発射が禁止される。このため、遊技球の発射を禁止しつつハンドル１８の回動操作を行ったり、ハンドル１８を握った状態で、一時的に遊技球の発射を止めたりすることができる。
【００２１】
下皿１５の上方には上皿１９が設けられている。上皿１９は、遊技球を一旦貯留し、一列に整列させながら後述する発射装置６０の方へ案内する球受皿である。尚、上皿１９が遊技球で満杯になった状態では、払出される遊技球は、後述する下皿連通路７１及び排出口１６を介して、下皿１５へと案内される。
【００２２】
上皿１９には球貸しボタン１２１と返却ボタン１２２とが設けられている。これにより、遊技ホール等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００２３】
さらに、上皿１９には、球抜きボタン１２３が設けられている。球抜きボタン１２３が押圧操作されることで、上皿１９の球案内路の下流側に設けられ、下皿１５に連通する連通孔（図示略）が開口し、上皿１９に貯留されていた遊技球が下皿１５へと案内される（落下する）。つまり、遊技者は、球抜きボタン１２３を操作することで、上皿１９にある遊技球をいつでも下皿１５に移すことができる。
【００２４】
また、前面枠セット１４の前面にはその周囲に各種ランプ等の発光手段が設けられている。これら発光手段は、大当たり時や所定のリーチ時等における遊技状態の変化に応じて点灯、点滅といった発光態様が変更制御され遊技中の演出効果を高める役割を果たすものである。例えば、窓部１０１の周縁には、ＬＥＤ等の発光手段を内蔵した環状電飾部１０２が設けられている。また、該環状電飾部１０２の両側部には、所定のエラー時に点灯するエラー表示ランプ１０４が設けられている。尚、環状電飾部１０２のうち各エラー表示ランプ１０４の上方部位には、前面枠セット１４の背面に設けられるスピーカＳＰ（図３参照）に対応して細かな透孔が多数形成されている。
【００２５】
前面枠セット１４の背面側にはガラスユニット１３７が取付けられている。ガラスユニット１３７は、従来の前後一対の矩形状の板ガラスが前後対をなして別々に取着されるものではなく、全体として丸形をなし、アッセンブリ化された上で取付けられている。
【００２６】
次に、内枠１２（樹脂ベース３８）について図４を参照して説明する。上述した通り、内枠１２（樹脂ベース３８）には、窓孔３９の後側において遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００２７】
また、内枠１２（樹脂ベース３８）の前面下部、すなわち窓孔３９（遊技盤３０）の下方位置には、発射装置６０及び当該発射装置６０より発射された直後の遊技球を案内する発射レール６１が取付けられている。本実施形態では、発射装置６０としてソレノイド式発射装置を採用している。また、発射装置６０の上方には、上皿１９から案内される遊技球を、内蔵された駆動手段（例えばソレノイド）の駆動により、１球ずつ発射装置６０の発射位置へと案内する球送り装置６３が設けられている。
【００２８】
次に、遊技盤３０の構成について図４を参照して説明する。遊技盤３０には、一般入賞口３１、可変入賞装置３２、始動入賞ユニット（始動口）３３、スルーゲート３４、可変表示装置ユニット３５、第１特別表示装置４３Ｌ及び第２特別表示装置４３Ｒ等がルータ加工によって形成された貫通孔に配設され、遊技盤３０前面側から木ネジ等により取付けられている。周知の通り一般入賞口３１、可変入賞装置３２、始動入賞ユニット３３などの各種入賞口に遊技球が入球（入賞）すると、各種検出スイッチにより検出され、上皿１９（又は下皿１５）へ所定数の賞球が払い出される。例えば、始動入賞ユニット３３への入球があった場合には３個、一般入賞口３１への入球があった場合には１０個、可変入賞装置３２への入球があった場合には１５個の遊技球が上皿１９（下皿１５）に払出される。その他に、遊技盤３０にはアウト口３６が設けられており、一般入賞口３１等の各種入賞口に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００２９】
始動入賞ユニット３３は、始動入球手段としての上入賞口３３ａ及び下入賞口３３ｂと、下入賞口３３ｂの両側部に設けられた開閉する一対の開閉部材３３ｃを備えている。上入賞口３３ａは、遊技球が常時入球可能となっているのに対し、下入賞口３３ｂは、開閉部材３３ｃが所定条件の成立に応じて開閉動作することにより、遊技領域を流下する遊技球が入球可能な開状態と、遊技球が入球不可能な閉状態との間で状態変化可能に構成されている。尚、詳しくは後述するが、始動入賞ユニット３３は、上入賞口３３ａ、下入賞口３３ｂに入球した遊技球をそれぞれ検知する第1始動入賞スイッチ２２４ａ、第２始動入賞スイッチ２２４ｂを備えており、当該始動入賞スイッチ２２４ａ、２２４ｂにて遊技球が検知された場合に、大当たり状態を発生させるか否かの当否抽選が行われるとともに、特別表示装置４３Ｌ、４３Ｒ（及び後述する装飾図柄表示装置４２）にて変動表示が行われる構成となっている。そして、当否抽選にて当選した（大当たり）場合には、可変入賞装置３２が開放される大当たり状態（特別遊技状態）が付与されることとなる。
【００３０】
第１及び第２特別表示装置４３Ｌ、４３Ｒは、それぞれ２文字（及びドット）を表示可能なタイプの７セグメント表示装置により構成され、可変入賞装置３２の右方に設置されている。そして、始動入賞ユニット３３の上入賞口３３ａへの遊技球の入球を契機として第１特別表示装置４３Ｌにて切替表示（変動表示）が行われ、下入賞口３３ｂへの遊技球の入球を契機として第２特別表示装置４３Ｒにて切替表示（変動表示）が行われる構成となっている。尚、特別表示装置４３Ｌ、４３Ｒは、後述する主制御手段としての主制御装置２６１によって表示内容が直接的に制御される。
【００３１】
また、第１及び第２特別表示装置４３Ｌ、４３Ｒにて変動表示が行われた後、当該変動表示が停止したときの表示態様（点灯態様）により、大当たりか否かが確定的に表示される。例えば、上入賞口３３ａに遊技球が入賞すると、対応する第１特別表示装置４３Ｌにて点灯態様（点灯するセグメントの組合わせ）が高速で（例えば４ｍｓｅｃ毎に）切替表示（変動表示）され、所定時間が経過すると、いずれかの点灯態様を停止表示（例えば数秒間停止）する。そして、大当たり抽選に当選した場合には、対応する点灯態様が変動停止時に表示され、大当たり状態が発生する。また、特別表示装置４３Ｌ、４３Ｒにおいては、大当たりか否かが教示されるだけでなく、大当たりの場合には、大当たり種別についても教示される。
【００３２】
尚、第１特別表示装置４３Ｌ、第２特別表示装置４３Ｒのどちらか一方において、変動表示又は決定表示が行われている場合には、他方が消灯状態とされており（「−」を表示しておいてもよい）、どちらにおいても変動表示及び決定表示が行われていない場合には、両方においてそれぞれ「−」が表示される。
【００３３】
また、第１又は第２特別表示装置４３Ｌ、４３Ｒの変動表示中に新たに遊技球が始動入賞ユニット３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では、上入賞口３３ａに入賞した遊技球、及び下入賞口３３ｂに入賞した遊技球に対応して、それぞれ４回までの変動表示（合計８回の変動表示）が保留される。また、その保留回数が第１保留ランプ４６ａ、第２保留ランプ４６ｂにて点灯表示されるようになっている。尚、大当たり状態中に新たに遊技球が始動入賞ユニット３３に入賞した場合、その分の変動表示についても保留される。
【００３４】
尚、基本的に、上入賞口３３ａへの入賞を契機とする変動表示は、対応する遊技球が上入賞口３３ａへ入球した順に記憶されるとともに入球した順に消化され、下入賞口３３ｂへの入賞を契機とする変動表示は、対応する遊技球が下入賞口３３ｂへ入球した順に記憶されるとともに入球した順に消化される。但し、上入賞口３３ａへの入賞を契機とする変動表示、及び、下入賞口３３ｂへの入球を契機とする変動表示の両方が保留されている場合（第１保留ランプ４６ａ及び第２保留ランプ４６ｂがそれぞれ１つ以上点灯している場合）には、下入賞口３３ｂへの入球を契機とする変動表示が優先的に消化される。すなわち、下入賞口３３ｂへの入賞を契機とする変動表示が全て消化された状態でなければ、上入賞口３３ａへの入球を契機とする変動表示が行われない構成となっている。例えば、第１保留ランプ４６ａが１つ点灯している状態において、下入賞口３３ｂに遊技球が入球し、第２保留ランプ４６ｂが１つ点灯した場合、上入賞口３３ａへの入球を契機とする変動表示が後回しにされ、先に下入賞口３３ｂへの入球を契機とする変動表示が行われることとなる。以下、説明の便宜上、上入賞口３３ａへの入球を契機とする変動表示を「第１変動表示」とも称し、下入賞口３３ｂへの入球を契機とする変動表示を「第２変動表示」とも称する。
【００３５】
可変入賞装置３２は、通常は遊技球が入賞できない閉状態になっており、大当たり状態（特別遊技状態の発生）の際に、遊技球が入賞可能な開状態とされる。尚、図示は省略するが、可変入賞装置３２は、遊技盤３０の後方へと通じる大入賞口（入賞口）と、大入賞口を開閉するシャッタ（可動部）と、シャッタを動作させるための大入賞口ソレノイド（駆動手段）と、大入賞口に入球した遊技球を検出するカウントスイッチ２２３とを備え、大入賞口ソレノイドを駆動制御し、シャッタを開閉させることで、可変入賞装置３２（大入賞口）を閉状態と開状態とに切替えている。
【００３６】
また、スルーゲート３４は、遊技領域を流下する遊技球が１球ずつ通過可能に構成されている。詳しくは後述するが、スルーゲート３４は、当該スルーゲート３４を通過する遊技球を検知可能なスルーゲートスイッチ２２５を備えており、当該スルーゲートスイッチ２２５にて遊技球が検知された場合に、始動入賞ユニット３３を開状態とするか否かの入球アシスト抽選が行われるとともに、普通図柄表示装置４１にて当該入球アシスト抽選の結果を教示するための変動表示が行われる。そして、入球アシスト抽選にて当選した場合には、当該変動表示の終了後に始動入賞ユニット３３（開閉部材３３ｃ）が規定時間だけ開状態とされる。
【００３７】
可変表示装置ユニット３５には、スルーゲート３４の通過を契機として変動表示する普通図柄表示装置４１と、第１及び第２特別表示装置４３Ｌ、４３Ｒによる変動表示に合わせて変動表示する装飾図柄表示装置４２とが設けられている。さらに、可変表示装置ユニット３５には、装飾図柄表示装置４２にて行われている変動表示が上入賞口３３ａ及び下入賞口３３ｂのうちどちらの入球に対応するものであるかを示す変動特定ランプ４０と、上記第１保留ランプ４６ａ及び第２保留ランプ４６ｂと、保留ランプ４４とが設けられている。
【００３８】
普通図柄表示装置４１は、普通図柄として「○」又は「×」を点灯表示可能に構成されており、遊技球がスルーゲート３４を通過する毎に例えば普通図柄を「○」→「×」→「○」→・・・という具合に高速で切換表示（変動表示）する。そして、その変動表示が「○」図柄（当選図柄）で数秒間停止した場合には、始動入賞ユニット３３（開閉部材３３ｃ）が所定時間だけ開状態となる。この普通図柄表示装置４１は、後述する主制御装置２６１によって直接的に表示内容が制御される。
【００３９】
また、普通図柄表示装置４１の変動表示中に、新たに遊技球がスルーゲート３４を通過した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００４０】
装飾図柄表示装置４２は液晶表示装置として構成されており、後述するサブ制御装置２６２及び表示制御装置４５によって表示内容が制御される。すなわち、装飾図柄表示装置４２においては、第１及び第２特別表示装置４３Ｌ、４３Ｒにて表示される結果に対応させるように、主制御装置２６１からのコマンドに基づき、サブ制御装置２６２によって補助的な表示内容が決定され、後述する表示制御装置４５によって表示が行われる。
【００４１】
装飾図柄表示装置４２には、例えば、上、中及び下の３つの図柄表示領域が設けられ、各図柄表示領域において複数種類の図柄（例えば１〜９の数字が付された図柄）が順次表示され（変動表示され）、その後、図柄表示領域毎に順番に（例えば、上図柄表示領域→下図柄表示領域→中図柄表示領域の順に）図柄が停止表示されるようになっている。例えば、主制御装置２６１にて大当たりが確定すると、第１又は第２特別表示装置４３Ｌ、４３Ｒにて大当たりに対応する表示がなされるとともに、装飾図柄表示装置４２にて図柄が大当たりに対応する組合わせで停止表示され（例えば、上図柄表示領域、中図柄表示領域、及び下図柄表示領域にて停止表示される図柄が同一となり）、大当たり状態が開始される。
【００４２】
また、図柄が大当たりに対応する組合わせで停止表示される場合には、その前段階として、例えば、上図柄表示領域及び下図柄表示領域において同一の図柄が停止表示されることとなる。このように上図柄表示領域及び下図柄表示領域にて同一図柄が停止表示されるとともに、中図柄表示領域において未だ変動表示が行われている状態がリーチ状態である。
【００４３】
加えて、変動特定ランプ４０は、発光色が青色のＬＥＤ及び発光色が赤色のＬＥＤを備えており、装飾図柄表示装置４２において、上入賞口３３ａへの入球を契機とする変動表示が行われている場合には青色に発光し、下入賞口３３ｂへの入球を契機とする変動表示が行われている場合には赤色に発光する。
【００４４】
また、可変表示装置ユニット３５には、装飾図柄表示装置４２を囲むようにしてセンターフレーム４７が配設されている。センターフレーム４７の上部には入球口１５１が設けられており、該入球口１５１に入球した遊技球は、センターフレーム４７の内部に形成され、装飾図柄表示装置４２の側部に沿って上下に延びるワープ流路１５２を介して、装飾図柄表示装置４２の下方に形成されたステージ１５３上に案内される。ステージ１５３上に案内された遊技球は、ステージ１５３上から前方の遊技領域に転落したり、ステージ１５３上を転動した後ステージ１５３の中央奥側に形成されたポケット１５４に入球したりする。尚、ポケット１５４は、始動入賞ユニット３３（上入賞口３３ａ）の直上方の遊技領域へと通じる案内通路１５５と連通しており、該ポケット１５４に入球した遊技球は、比較的高い確率で始動入賞ユニット３３（上入賞口３３ａ）に入球するようになっている。
【００４５】
また、遊技盤３０には、内レール構成部５１と外レール構成部５２とからなり、発射装置６０から発射された遊技球を遊技盤３０上部へ案内するレール５０が取付けられている。これにより、ハンドル１８の回動操作に伴い発射された遊技球は発射レール６１及びレール５０を通じて、遊技盤３０とガラスユニット１３７との間に形成される遊技領域内に案内される。
【００４６】
内レール構成部５１の先端部分（図４の左上部）には戻り球防止部材５３が取着されている。これにより、一旦、レール５０から遊技領域へと案内された遊技球が再度レール５０内に戻ってしまうといった事態が防止される。また、外レール構成部５２の略先端部（図４の右上部）には、返しゴム５４が取着されている。所定以上の勢いで発射された遊技球は、返しゴム５４に当たって例えば遊技盤３０の略中央部側へ戻されることとなる。
【００４７】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、発射装置６０にて打出された遊技球が、戻り球防止部材５３を通過するまでは、レール５０を逆流する場合があるため、内外レール構成部５１，５２の並行部分は遊技領域から除かれる。
【００４８】
図３に示すように、前面枠セット１４の背面側には、窓部１０１の下方において、球通路ユニット７０が設けられている。球通路ユニット７０は、後述する払出機構部３５２から下皿１５の排出口１６へ繋がる下皿連通路７１と、払出機構部３５２から上皿１９へ繋がる上皿連通路７３と備えている。また、内枠１２の前面側に設けられた発射レール６１とレールユニット５０（外レール構成部５２）との間には所定間隔の隙間があり、前面枠セット１４の球通路ユニット７０には、前記隙間より落下した遊技球を下皿１５へと案内するファール球通路７２が形成されている。これにより、仮に、発射装置６０から発射された遊技球が戻り球防止部材５３まで至らずファール球としてレール５０を逆戻りする場合には、そのファール球がファール球通路７２を介して下皿１５に排出される。
【００４９】
また、図３及び図４中の符号６７は後述する払出機構部３５２により払出された遊技球を内枠１２の前方に案内するための払出通路であり、上皿連通路７３（上皿１９）に通じる通路と、下皿連通路７１（下皿１５）に通じる通路とに分かれている。払出通路６７の下方にはシャッタ６８が設けられており、前面枠セット１４を開放した状態では、バネ等の付勢力によりシャッタ６８が前方に突出して払出通路６７の出口をほぼ閉鎖するようになっている。また、前面枠セット１４を閉じた状態では、下皿連通路７１の入口側後端部によってシャッタ６８が押し開けられるようになっている。尚、下皿連通路７１及び上皿連通路７３の入口（球流入部）が隣接するとともに、前面枠セット１４の閉状態において当該各入口と払出通路６７とが所定距離だけ離間しており、両者間の隙間を遊技球が通過可能となっている。このため、上皿１９及び上皿連通路７３が遊技球で満杯となると、払出される遊技球が下皿連通路７１側に流れ（下皿連通路７１の入口側に溢れ）、下皿連通路７１を通って下皿１５に払出されることとなる。
【００５０】
加えて、球通路ユニット７０には、下皿連通路７１内に位置する遊技球を検知する満杯検知スイッチ（図示略）が設けられている。当該満杯検知スイッチの存在により、下皿１５が遊技球で満杯になっていること（下皿１５が遊技球で満杯となり、下皿連通路７１において遊技球が滞留していること）を把握することができる。本実施形態では、満杯検知スイッチによって所定時間継続して遊技球が検知されることに基づき、装飾図柄表示装置４２における表示や音声等を用いて下皿１５が満杯であることを教示するエラー報知の制御が行われる。尚、下皿連通路７１における遊技球の滞留が解消され、満杯検知スイッチにより遊技球が検知されなくなると（所定時間継続して検知されなくなると）エラー報知の状態が解除される。
【００５１】
次に、パチンコ機１０の背面構成について図５、図６等を参照して説明する。パチンコ機１０の背面には、各種制御基板が上下左右に並べられるようにして、一部前後に重ねられるようにして配置されており、さらに、遊技球を供給する遊技球供給装置（払出機構）や樹脂製の保護カバー等が取り付けられている。払出機構及び保護カバーは１ユニットとして一体化されており、一般に樹脂部分を裏パックと称することもあるため、ここではそのユニットを「裏パックユニット２０３」と称する。
【００５２】
まず、遊技盤３０の背面構成について説明する。図６に示すように、遊技盤３０中央の貫通孔に対応して配設された可変表示装置ユニット３５（図４参照）の背面側には、センターフレーム４７を背後から覆う樹脂製のフレームカバー２１３が後方に突出して設けられている。また、フレームカバー２１３の背面側には、フレームカバー２１３の開口部から前方に臨む液晶表示装置たる装飾図柄表示装置４２、表示制御装置４５及びサブ制御装置２６２が前後に重ねられた状態で着脱可能に取り付けられている。
【００５３】
装飾図柄表示装置４２は、当該装飾図柄表示装置４２の表示部（液晶画面）をパチンコ機１０の前面側に露出させるための開口部が形成された収容ボックス４２ａに収容されてフレームカバー２１３の背面側に固定されている。表示制御装置４５は基板ボックス４５ａに収容されて装飾図柄表示装置４２（収容ボックス４２ａ）の背面側に固定されている。サブ制御装置２６２は基板ボックス２６２ａに収容されて表示制御装置４５（基板ボックス４５ａ）の背面側に固定されている。尚、フレームカバー２１３内には、センターフレーム４７に内蔵されたＬＥＤ等を駆動するＬＥＤ制御基板等が配設されている。また、収容ボックス４２ａ及び基板ボックス４５ａ，２６２ａは透明樹脂材料等により構成され、内部が視認可能となっている。
【００５４】
フレームカバー２１３の下方には裏枠セット２１５が、一般入賞口３１、可変入賞装置３２及び始動入賞ユニット３３等を背後から覆うようにして遊技盤３０に取付けられている。裏枠セット２１５は、各種入賞口に入賞した遊技球を回収するための球回収機構を備えている（図示略）。この球回収機構により回収された遊技球は、後述する排出通路部２１７に案内され、排出通路部２１７の排出シュートからパチンコ機１０外部に排出される。
【００５５】
また、本実施形態では、裏枠セット２１５が主制御装置２６１の取付台として機能する。より詳しくは、主制御装置２６１を搭載した基板ボックス２６３が、裏枠セット２１５に対し回動可能に軸支され、後方に開放可能となっている。
【００５６】
主制御装置２６１は透明樹脂材料等よりなる基板ボックス２６３に収容されている。基板ボックス２６３は、ボックスベースと該ボックスベースの開口部を覆うボックスカバーとを備え、これらボックスベースとボックスカバーとが封印部材によって連結されている。封印部材によって連結された基板ボックス２６３は、所定の痕跡を残さなければ開封できない構成となっている。これにより、基板ボックス２６３が不正に開封された旨を容易に発見することができる。
【００５７】
また、遊技盤３０には、一般入賞口３１等の各種入賞口に対応して、当該各種入賞口へ入球した遊技球を検出する入球検出スイッチが設けられている。具体的には、図４に示すように、一般入賞口３１に対応する位置には入賞口スイッチ２２１が設けられ、可変入賞装置３２にはカウントスイッチ２２３が設けられている。また、始動入賞ユニット３３には、上入賞口３３ａ及び下入賞口３３ｂそれぞれに対応して第１始動入賞スイッチ２２４ａ、第２始動入賞スイッチ２２４ｂが設けられている。さらに、スルーゲート３４に対応する位置にはスルーゲートスイッチ２２５が設けられている。
【００５８】
また、図示は省略するが、裏枠セット２１５には、入賞口スイッチ２２１、カウントスイッチ２２３及びスルーゲートスイッチ２２５とケーブルコネクタを介して電気的に接続される第１盤面中継基板が設けられている。この第１盤面中継基板は、入賞口スイッチ２２１等と、主制御手段としての主制御装置２６１とを中継するものであり、ケーブルコネクタを介して主制御装置２６１と電気的に接続されている。これに対し、始動入賞スイッチ２２４ａ，２２４ｂは中継基板を経ることなくコネクタケーブルを介して直接主制御装置２６１に接続されている。
【００５９】
各種入球検出スイッチにて各々検出された検出結果は、主制御装置２６１に取り込まれる。そして、該主制御装置２６１よりその都度の入賞状況に応じた払出指令（遊技球の払出個数）が払出制御装置３１１に送信され、該払出制御装置３１１からの出力信号に基づき所定数の遊技球の払出しが実施される（スルーゲートスイッチ２２５により検出された場合を除く。）
この他、遊技盤３０の裏面には、図示は省略するが、可変入賞装置３２にて大入賞口を開放する大入賞口用ソレノイドが設けられ、始動入賞ユニット３３にて一対の開閉部材３３ｃを開閉駆動する入賞口用ソレノイドが設けられている。また、裏枠セット２１５には、これらソレノイドと主制御装置２６１とを中継する第２盤面中継基板（図示略）も設けられている。
【００６０】
次に、裏パックユニット２０３の構成を説明する。図５に示すように、裏パックユニット２０３は、樹脂成形された裏パック３５１と、遊技球の払出機構部３５２とを一体化したものである。また、裏パックユニット２０３は、内枠１２の左側部（図５では右側）に対して開閉可能に支持されており、上下方向に沿って延びる開閉軸線を軸心として後方に開放できるようになっている。加えて、裏パックユニット２０３の左上部（図５では右上部）には外部端子板２４０が設けられている。
【００６１】
外部端子板２４０は、遊技ホールのホールコンピュータなどへの各種情報送信を中継するためのものであり、複数の外部接続端子が設けられている。便宜上、符号は付さないが、例えば現在の遊技状態（大当たり状態や確変モード等）に関する情報を出力するための端子、後述する開放検知スイッチ９１，９２によって検出される前面枠セット１４や内枠１２の開放に関する情報を出力するための端子、入球エラー、下皿満タンエラー、タンク球無しエラー、払出しエラーなど各種エラー状態に関する情報を出力するための端子、払出制御装置３１１から払出される賞球数に関する情報を出力するための端子などが設けられている。
【００６２】
裏パック３５１は例えばＡＢＳ樹脂により一体成形されており、パチンコ機１０の後方に突出して略直方体形状をなす保護カバー部３５４を備えている。保護カバー部３５４は左右側面及び上面が閉塞され且つ下面のみが開放された形状をなし、少なくともフレームカバー２１３を覆うのに十分な大きさを有する。但し、本実施形態では、保護カバー部３５４が基板ボックス２６３の上部及び右部（図５では左側の部位）も合わせて覆う構成となっている。これにより、裏パックユニット２０３の閉鎖状態において、基板ボックス２６３の右部に設けられた封印部材、及び主制御装置２６１の上縁部に沿って設けられた端子部（基板側コネクタ）が覆われることとなる。
【００６３】
払出機構部３５２は、保護カバー部３５４を迂回するようにして配設されている。すなわち、保護カバー部３５４の上方には、上側に開口したタンク３５５が設けられており、このタンク３５５には遊技ホールの島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払出された遊技球は上皿１９等に供給される。
【００６４】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００６５】
裏パックユニット２０３（基板ボックス２６３）の下方には、内枠１２の左側部（図５では右側）にて軸支され、後方に開放可能な下枠セット２５１が設けられている。図６に示すように、下枠セット２５１には、上述した球回収機構により回収された遊技球が流入する排出通路部２１７が形成され、排出通路部２１７の最下流部には、遊技球をパチンコ機１０外部へ排出する排出シュート（図示略）が形成されている。つまり、一般入賞口３１等の各入賞口に入賞した遊技球は、裏枠セット２１５の球回収機構を介して集合し、さらに排出通路部２１７の排出シュートを通じてパチンコ機１０外部に排出される。なお、アウト口３６も同様に排出通路部２１７に通じており、何れの入賞口にも入賞しなかった遊技球も排出シュートを介してパチンコ機１０外部に排出される。尚、本実施形態では、裏パックユニット２０３と下枠セット２５１とが別体として構成され、それぞれ独立して開閉可能であるが、裏パックユニット２０３と下枠セット２５１とが一体的に形成されることとしてもよい。
【００６６】
また、図５に示すように、下枠セット２５１の背面側には、払出制御装置３１１、発射制御装置３１２、電源装置３１３及びカードユニット接続基板３１４が前後に重ねられた状態で着脱可能に取り付けられている。
【００６７】
発射制御装置３１２及び電源装置３１３は基板ボックス３１３ａに収容されて下枠セット２５１の背面側に固定されている。尚、発射制御装置３１２及び電源装置３１３は、便宜上それぞれ独立した制御装置として説明するが、実際には１つの基板（プリント基板）により構成される。
【００６８】
また、払出制御装置３１１は、基板ボックス３１１ａに収容されて、基板ボックス３１３ａ（発射制御装置３１２及び電源装置３１３）の背面側に固定されている。尚、払出制御装置３１１が収容される基板ボックス３１１ａには、上述した主制御装置２６１が収容される基板ボックス２６３と同様に封印部材が設けられ、基板ボックス３１１ａの開封された痕跡が残るようになっている。
【００６９】
加えて、カードユニット接続基板３１４は、基板ボックス３１４ａに収容されて、基板ボックス３１３ａ（発射制御装置３１２及び電源装置３１３）の背面側に固定されている。なお、上記各基板ボックス３１１ａ，３１３ａ，３１４ａは透明樹脂材料等により構成されており、内部が視認可能となっている。
【００７０】
また、払出制御装置３１１には基板ボックス３１１ａから外方に突出する状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００７１】
さらに、電源装置３１３には基板ボックス３１３ａから外方に突出するＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技ホールの営業終了時に）電源遮断すると電源遮断前の状態が記憶保持されることから、電源投入時に初期状態に戻したい場合には、ＲＡＭ消去スイッチ３２３を押しながら電源を投入する。
【００７２】
また、図６に示すように、内枠１２の右側部背面側には施錠装置６００が設けられている。施錠装置６００は、前面枠セット１４の前面側に露出するシリンダ錠７００（図１等参照）を備えており、該シリンダ錠７００の鍵穴に鍵を挿入し、一方に回動操作することで内枠１２を解錠でき、他方に回動操作することで前面枠セット１４を解錠できるようになっている。本実施形態では、内枠１２は外枠１１に対し施錠され、前面枠セット１４は内枠１２に対し施錠される。
【００７３】
尚、上記のように、外枠１１の右辺枠構成部１１ｄには、施錠装置６００に対応する上下区間全域を内枠１２の背面側から覆う延出壁部８３が形成されている（図５参照）。これにより、外枠１１の背面側から線材等を進入させ、当該線材等により施錠装置６００を操作することが困難となる。結果として、防御性能の向上を図ることができる。さらに、延出壁部８３は、裏パックユニット２０３及び下枠セット２５１の右端部（図５では左側の端部）を背面側から覆う構成となっており、内枠１２の閉状態においては、裏パックユニット２０３及び下枠セット２５１を開放できない構成となっている。
【００７４】
また、図４に示すように、内枠１２の前面側右下部（発射装置６０の右側）には、前面枠セット１４の開放を検知するための前面枠開放検知スイッチ９１が設けられ、図５に示すように、内枠１２の背面側右下部（図５では左下）には、内枠１２の開放を検知するための内枠開放検知スイッチ９２が設けられている。前面枠開放検知スイッチ９１及び内枠開放検知スイッチ９２は、それぞれスイッチ本体部に対して出没可能な検知部を備えており、前面枠開放検知スイッチ９１は検知部が前方に向くように設けられ、内枠開放検知スイッチ９２は検知部が後方へ向くように設けられる。そして、検知部がスイッチ本体部から突出した状態にある場合にはオン信号を主制御装置２６１に出力し、検知部がスイッチ本体部側に押圧され、スイッチ本体部に没入した状態ではオフ信号を主制御装置２６１に出力する構成となっている。つまり、前面枠開放検知スイッチ９１は前面枠セット１４の閉鎖時において検知部が前面枠セット１４の背面で押圧されてオフ状態となり、前面枠セット１４の開放時には、検知部が突出状態に戻ってオン状態となる。同様に、内枠開放検知スイッチ９２は内枠１２の閉鎖時において検知部が外枠１１の受部８５に一体形成された押圧部８６によって押圧されてオフ状態となり、内枠１２の開放時には検知部が突出状態に戻ってオン状態となる。
【００７５】
さて、本実施形態では、主制御装置２６１を収容する収容ボックスとしての基板ボックス２６３に特徴がある。以下、かかる構成について、図８〜図１６を参照しつつ説明する。尚、図１１では、主制御装置２６１のプリントパターン等の図示を省略している。
【００７６】
図８〜図１１等に示すように、基板ボックス２６３は、後方に開口する略箱状をなし、主制御装置２６１の前面及び周縁部を覆う第１構成部としてのボックスベース２６３ａと、ボックスベース２６３ａに収容された主制御装置２６１の後面側を覆うようにしてボックスベース２６３ａの開口部を閉塞する第２構成部としてのボックスカバー２６３ｂとを備え、全体として左右に長い略直方体形状をなしている。
【００７７】
（ボックスベース２６３ａ）
図９〜図１１等に示すように、ボックスベース２６３ａは、主制御装置２６１の前面と略当接する底板４０１と、底板４０１の周縁部から後方（図１０、図１１では紙面手前側）に延出する周壁部４０２とを備えている。また、周壁部４０２の上辺部及び下辺部には、後方（ボックスカバー２６３ｂ側）に突出する複数の係止部４０３が形成されている。係止部４０３はＬ字状をなし、先端部が左方（図１１では右側）に凸となっている。
【００７８】
図９に示すように、周壁部４０２の右辺部には、右方（ボックスベース２６３ａ外周側）に突出する第１封印部４０４が設けられている。本実施形態では、第１封印部４０４が上下に５つ設けられている。第１封印部４０４の内側には後述するカシメピン４０５を挿入可能なカシメ凹部（図示略）が形成されている。
【００７９】
加えて、図１１に示すように、周壁部４０２の左辺部（図１１では右側の辺部）には、上下方向略中央部において左方に突出する固着部（固定固着部）としてのベース側板状部４０７が設けられている。ベース側板状部４０７は後方に開口する底の浅い略箱状をなし、その内側には、後方に開口する有底状のねじ穴を形成するボス４１１と、補強リブ４１２とが形成されている。また、ベース側板状部４０７の左面（図１１では右側の面）及び前面には、上縁部及び下縁部に沿って位置決めリブ４１３が形成されている。
【００８０】
さらに、ベース側板状部４０７の下方には、周壁部４０２の左辺部から左方に突出するベース側ねじ留め部４０８が設けられている。ベース側ねじ留め部４０８には、後方に開口する有底状のねじ穴が形成されている。尚、周壁部の左辺部は、その突出長（前後幅）が主制御装置２６１（プリント基板）の厚み程度しかなく、後述するボックスカバー２６３ｂのスライド装着の妨げとならないようになっている。
【００８１】
（ボックスカバー２６３ｂ）
図８、図１０、図１１等に示すように、ボックスカバー２６３ｂは、前方に開口する略箱状のカバー本体４２１と、カバー本体４２１の開口部周縁に沿って設けられた縁壁部４２２とを備えている。
【００８２】
カバー本体４２１は、ボックスベース２６３ａの底板４０１（主制御装置２６１）と対向する閉塞板４２３と、閉塞板４２３の周縁部から前方に延びる枠部４２６とを備えている。閉塞板４２３には、主制御装置２６１に接続されるコネクタ挿通用のコネクタ開口部４２４や、主制御装置２６１から発せられる熱を基板ボックス２６３の外部に逃がすための放熱孔４２５等が形成されている。
【００８３】
縁壁部４２２は、枠部４２６の前縁部から枠部４２６の外周側に延出する折返し部４２７と、折返し部４２７の先端縁（外周縁）から前方に延出する裾部４２８とを備えている。縁壁部４２２の上辺部及び下辺部の折返し部４２７には、前記ボックスベース２６３ａに設けられた係止部４０３と１対１で対応して、各係止部４０３をそれぞれ挿通可能な係止孔４２９が形成されている。
【００８４】
そして、ボックスベース２６３ａの内側に主制御装置２６１を設置した後、ボックスベース２６３ａの係止部４０３をボックスカバー２６３ｂの係止孔４２９に挿通させるとともに、ボックスベース２６３ａに対してボックスカバー２６３ｂを相対的に左方（図１１では右方）にスライドさせることで、係止部４０３が係止孔４２９の周縁部に係止される。これにより、ボックスベース２６３ａとボックスカバー２６３ｂとが組み付けられている。
【００８５】
また、図８、図１０等に示すように、枠部４２６の右壁部（図６、図１０では左側の壁部）には、右方に突出する第２封印部４３１が設けられている。第２封印部４３１は上記第１封印部４０４に対応して上下に５つ設けられている。さらに、第２封印部４３１には前後に貫通するカシメ孔４３２（長孔）が形成されている。各第２封印部４３１はそれぞれ薄板状の連結部４３３を介してカバー本体４２１と連結されているとともに、互いに隣接する第２封印部４３１同士もそれぞれ薄板状の連結部４３３を介して連結されている。
【００８６】
基板ボックス２６３の組付け状態においては、第２封印部４３１のカシメ孔４３２と第１封印部４０４のカシメ凹部とが連通する。そして、５つある第２封印部４３１及び第１封印部４０４のうちいずれかのカシメ孔４３２及びカシメ凹部に対してカシメピン４０５を挿通（嵌入）させることで、ボックスベース２６３ａとボックスカバー２６３ｂとが連結される（基板ボックス２６３がかしめられ、主制御装置２６１が封印される）。
【００８７】
尚、カシメ孔４３２及びカシメ凹部の内径とカシメピン４０５の外径はほぼ同じであり、カシメピン４０５の挿入状態では、ボックスベース２６３ａとボックスカバー２６３ｂとの相対移動が規制される。また、カシメピン４０５は、挿入後、カシメ孔４３２に没入するため、カシメピン４０５を第１封印部４０４及び第２封印部４３１から抜くことが不可能となる。従って、基板ボックス２６３を開封するためには、カシメピン４０５が挿通された第２封印部４３１に連接する連結部４３３を破断し、当該第２封印部４３１をボックスカバー２６３ｂから分離させる必要が生じる。よって、基板ボックス２６３が開封されたことの履歴を残すことができる。従って、封印後の不正な開封を防止し、また万一不正開封が行われてもそのような事態を早期に且つ容易に発見可能とすることができる。
【００８８】
また、第１封印部４０４及び第２封印部４３１が複数（本例では５つ）設けられていることから、一旦開封した後でも、未使用の第２封印部４３１及び第１封印部４０４にカシメピン４０５を挿通させ、再度封印することが可能である。従って、基板ボックス２６３を交換する（廃棄する）ことなく、基板ボックス２６３から主制御装置２６１を取出して点検したり、故障した主制御装置２６１だけを交換したりすることができる。
【００８９】
図１１等に示すように、縁壁部４２２の左辺部（図１１では右側）には、ボックスベース２６３ａのベース側板状部４０７に対向するようにして裾部４２８から左方に突出する固着部としてのカバー側板状部４３４が設けられている。
【００９０】
さて、図１２等に示すように、本実施形態のカバー側板状部４３４は、ボックスカバー２６３ｂの縁壁部４２２に対して一体的に形成された固定固着部としての固定部４４１と、ボックスカバー２６３ｂの縁壁部４２２やカバー本体４２１とは別体として形成された可動固着部としての可動部４４４とを備えている。固定部４４１は、上固定部４４２と下固定部４４３とに分離されており、固定部４４２、４４３間には可動部４４４の上下幅と同等の隙間が形成され、上固定部４４２及び下固定部４４３は互いに対称形状をなしている。より具体的には、固定部４４２、４４３は、裾部４２８から左方（図１２では右方）に延出する後壁部４４２ａ、４４３ａと、後壁部４４２ａ、４４３ａの先端縁（左端縁）から前方に延出する側壁部４４２ｂ、４４３ｂと、後壁部４４２ａ、４４３ａの延出方向中間部位から前方に延出し、側壁部４４２ｂ、４４３ｂと平行するようにして上下に延在する内壁部４４３ｃとを備えるとともに、上固定部４４２については側壁部４４２ｂ、４４３ｂの上縁部と裾部４２８との間を閉塞する上壁部４４２ｄを備え、下固定部４４３については側壁部４４２ｂ、４４３ｂの下縁部と裾部４２８との間を閉塞する下壁部４４３ｄを備えている。
【００９１】
また、上固定部４４２の側壁部４４２ｂ及び内壁部の下辺部、及び、下固定部４４３の側壁部４４３ｂ及び内壁部４４３ｃの上辺部には、前後方向略中間位置において、左右方向に延びるレール溝４４５が形成されている。さらに、上固定部４４２の上壁部４４２ｄの上面及び下固定部４４３の下壁部４４３ｄの下面には、それぞれ係止凸部４４６が形成されている。加えて、上固定部４４２の側壁部４４２ｂ、４４３ｂの左面（図１１では右側の面）及び後壁部４４２ａ、４４３ａの後面には、上縁部に沿って位置決めリブ４４７が形成され、下固定部４４３の側壁部４４２ｂ、４４３ｂの左面及び後壁部４４２ａ、４４３ａの後面には下縁部に沿って位置決めリブ４４７が形成されている。
【００９２】
さらに、上固定部４４２及び下固定部４４３の後壁部４４２ａ、４４３ａには、それぞれ前記ベース側板状部４０７のボス４１１に対応して、前後に貫通するテーパ状の固定孔４４８が形成されている。基板ボックス２６３の組付け状態においては、ベース側板状部４０７とカバー側板状部４３４とが合致する（前後に重なり、外周縁が揃う）こととなり、位置合わせされたボス４１１と固定孔４４８とに対して皿ねじ４７７が螺着され、固定される。また、基板ボックス２６３の組付け状態においては、ベース側板状部４０７の左面とカバー側板状部４３４の左面とが面一となり、ベース側板状部４０７の上面と上固定部４４２の上面とが面一となり、ベース側板状部４０７の下面と下固定部４４３の下面とが面一となる。さらに、螺着後の皿ねじ４７７の頭部は、固定部４４２、４４３の後面と面一或いは前方に没入した状態となる。当該皿ねじ４７７は、螺着後に取外すことも可能である。尚、ベース側板状部４０７及びカバー側板状部４３４に形成されたボス４１１及び固定孔４４８を省略することも可能である。
【００９３】
可動部４４４は、前方及び右方に開口し、上下一対の固定部４４１間の隙間に嵌入する略箱状をなしている。可動部４４４の上面及び下面には、左右方向に延在する突条部４４９が形成されている。そして、レール溝４４５の内側に突条部４４９を進入させるようにして、上固定部４４２と下固定部４４３との間に可動部４４４を挿入することで、図１３に示すように、可動部４４４が上下一対の固定部４４１に挟まれるようにしてボックスカバー２６３ｂに組み付けられている。また、当該組付け状態においては、可動部４４４の後面と固定部４４１（後壁部４４２ａ、４４３ａ）の後面とが面一となり、可動部４４４の左面（図１３では右側の面）と固定部４４１（側壁部４４２ｂ、４４３ｂ）の左面とが面一となっている。また、可動部４４４の右部（左右方向の中央部よりも右側；図１２では左部）には前後に貫通する連結孔４５０が形成されている。連結孔４５０は、可動部４４４の組付け後の状態において、固定部４４１の固定孔４４８よりも右方（カバー本体４２１側）に位置している。
【００９４】
加えて、カバー側板状部４３４の下方には、ベース側ねじ留め部４０８に対応して裾部４２８から左方に突出するカバー側ねじ留め部４３５が設けられている。また、カバー側ねじ留め部４３５には、前後方向に貫通するねじ孔（図示略）が形成されている。ベース側ねじ留め部４０８及びカバー側ねじ留め部４３５は基板ボックス２６３の組付け状態において位置合わせされ、ねじで固定される。加えて、当該ねじは、通常のねじ（木ねじ等）であり、螺着後に取外すことも可能である。尚、ねじ留め部４０８、４３５を省略することも可能である。
【００９５】
尚、本実施形態では、ボックスベース２６３ａの底板４０１及び周壁部４０２と、ボックスカバー２６３ｂのカバー本体４２１及び縁壁部４２２とが収容ボックスの本体部を構成し、カバー本体４２１及び縁壁部４２２が第２構成部の本体部を構成する。
【００９６】
（封印シール４５１）
本実施形態では、基板ボックス２６３が組み付けられることで前後に重なった状態のベース側板状部４０７及びカバー側板状部４３４に対し、図１２等に示すシール手段としての封印シール４５１が貼着されるようになっている。封印シール４５１は、ベース側板状部４０７の前面、ベース側板状部４０７及びカバー側板状部４３４の左面、及びカバー側板状部４３４の後面にかけて、両板状部４０７、４３４を跨ぐようにして略コ字状に折り曲げられて貼着される。さらに、封印シール４５１は、その上縁部及び下縁部がそれぞれ上下の位置決めリブ４１３、４４７に沿って貼着されており、カバー側板状部４３４に関して言えば、上固定部４４２、可動部４４４、及び下可動部４４４にかけて封印シール４５１が貼着されている。
【００９７】
本実施形態では、封印シール４５１は、カバー側板状部４３４に貼着される部位の右端縁が可動部４４４の連結孔４５０よりも左方、かつ、カバー側板状部４３４の固定部４４１の固定孔４４８よりも右方に位置するように貼着されている。すなわち、封印シール４５１を貼着しても、連結孔４５０は封印シール４５１で覆われない一方で、カバー側板状部４３４の固定部４４１の固定孔４４８については、封印シール４５１によって覆われる構成となっている。さらに、本実施形態では、封印シール４５１を貼着した後に、カバー側板状部４３４（上固定部４４２及び下固定部４４３）の固定孔４４８と、ベース側板状部４０７のボス４１１とに対して、皿ねじ４７７が螺着されるように構成されている。尚、本実施形態では、皿ねじ４７７が追従抑制手段を構成する。また、本実施形態では、封印シール４５１には皿ねじ４７７挿通用の下孔が形成されておらず、皿ねじ４７７は無理やり封印シール４５１を貫通させるようにして螺着するが、封印シール４５１に下孔を形成しておくこととしてもよい。また、例えば、封印シール４５１に対して、連結孔４５０に対応する位置に開口孔を形成し、当該開口孔と連結孔４５０とを合致させるようにして封印シール４５１を貼着するよう構成してもよい。この場合、封印シール４５１の貼着面積を拡大させることもできる。さらに、固定孔４４８とボス４１１とを螺着するねじは皿ねじ４７７でなくてもよく、頭部形状がなべ型や丸皿型等のものを使用することも可能である。
【００９８】
封印シール４５１は、シート状のシール部４５２と、シール部４５２の裏面に貼着されたアンテナ付きＩＣチップ４５３とを備えている。より詳しくは、シール部＠は、裏面側に接着剤が塗布され、表面側にアンテナ付きＩＣチップ４５３が固着された接着シートと、表面側に識別情報がプリントされた表示シートと、接着シートの表面と表示シートの裏面との間に形成された中間層とを備えている（図示略）。尚、アンテナ付きＩＣチップ４５３は、接着シートと表示シートとの間の中間層に設けられているため、本来、図１４に示す方向から封印シール４５１を見てもアンテナ付きＩＣチップ４５３を視認することができないが、便宜上、アンテナ付きＩＣチップ４５３を視認することができるものとして図１４に示す。
【００９９】
また、接着シートに対するアンテナ付きＩＣチップ４５３及び表示シートの接着力よりも、板状部４０７、４３４に対する接着シートの接着力の方が強く、板状部４０７、４３４に貼着されたシール部４５２を剥がそうとすると、中間層及びアンテナ付きＩＣチップ４５３が接着シートから分離するようにして、中間層、アンテナ付きＩＣチップ４５３、及び表示シートが接着シートから剥がれ、接着シートは板状部４０７、４３４に貼着されたままの状態となる。
【０１００】
また、シール部４５２の表示シートの表面には、識別情報として、ＩＣチップ４５４に格納されているＩＤ情報と対応づけてられた複数の数字、パチンコ機１０の名称（機種名）、メーカー名、基板情報等が記載されている（図示略）とともに、紫外線などといった特定の波長の光が照射されることにより模様が表れるように特殊インクが塗布されている。本実施形態では、カバー側板状部４３４の後面（後壁部４４２ａ、４４３ａ）に貼着される部位において、かかる識別情報が表記されている。これにより、裏枠セット２１５から基板ボックス２６３を開放しなくても、内枠１２を開放してその背面側を視認することで、かかる識別情報を確認することができる。
【０１０１】
アンテナ付きＩＣチップ４５３は、ＩＣチップ４５４（記憶手段）と、アンテナ部４５５と、ＩＣチップ４５４及びアンテナ部４５５を含む回路を構成するための回路構成部４５６とを備えている。ＩＣチップ４５４は集積回路として形成されるものであり、制御部及びメモリー領域を有する。メモリー領域には、識別情報としてのＩＤ情報が格納されている。また、ＩＣチップ４５４は、シール部４５２の略中央部に配置されている。さらに、アンテナ付きＩＣチップ４５３は、固定部４４１の固定孔４４８を避けるようにして配置されている。これにより、カバー側板状部４３４（上固定部４４２及び下固定部４４３）と、ベース側板状部４０７とを固定する皿ねじ４７７によってアンテナ付きＩＣチップ４５３が破壊されるといった事態を回避している。
【０１０２】
ＩＣチップ４５４のＩＤ情報は、制御部によって呼び出されてアンテナ部４５５から発信され、アンテナ部４５５から発信されたＩＤ情報をリーダー／ライターとして形成されるスキャナー（読取体）で受信して読み取ることができる。詳細には、スキャナーからは周波数の微弱な電波で呼び出しが行われるようになっており、この電波で誘導電磁界が形成される。そして誘導電磁界内にアンテナ部４５５が位置する程度に、スキャナーをアンテナ部４５５に近接させると、アンテナ部４５５に電磁誘導で起電力が発生する。ＩＣチップ４５４ではこの起電力を電源として、メモリー領域に格納されているＩＤ情報を制御部で呼び出してアンテナ部４５５から送信することができ、このように発信されたＩＤ情報をスキャナーで受信して読み取ることができる。
【０１０３】
回路構成部４５６はＩＣチップ４５４とアンテナ部４５５とを電気的に接続するものであり、その一部が切断されると、ＩＤ情報の出力が行われなくなる。本実施形態では、ＩＣチップ４５４が可動部４４４（の左面）に位置し、回路構成部４５６が可動部４４４と上固定部４４２との境界部に跨るようにして、封印シール４５１が貼着されている。つまり、上記のように、位置決めリブ４１３、４４７に沿って封印シール４５１を貼着すれば、回路構成部４５６が可動部４４４と固定部４４１とに跨るようにして封印シール４５１が貼着されるようになっている。
【０１０４】
さらに、アンテナ部４５５は２本設けられており、回路構成部４５６からシール部４５２の所定の角部に向けて延在するものと、回路構成部４５６からシール部４５２の前記角部の対角の角部に向けて延在するものとがある。従って、アンテナ付きＩＣチップ４５３全体としては、シール部４５２の一隅部側からその対角方向の隅部側に亘って斜めに配置されていることとなる。そして、封印シール４５１が両板状部４０７、４３４に跨って貼り付けられているのに伴って、アンテナ付きＩＣチップ４５３も両板状部４０７、４３４に跨っている。
【０１０５】
また、シール部４５２の外周縁は鋸の歯のようにギザギザしている。さらに、シール部４５２には、アンテナ部４５５及び回路構成部４５６に対応して多数の図示しない切込み部が形成されている。加えて、かかる切り込みに対応して、アンテナ部４５５にも、側辺部が一部切り込まれる或いは屈曲部が形成されている。そして、両板状部４０７、４３４から封印シール４５１を剥がそうとすると、シール部４５２の外周縁が千切れ易く、また、所定の切込み部に対して集中的に応力がかかり、当該部位においてシール部４５２、ひいてはアンテナ部４５５や回路構成部４５６が分断されるようになっている。
【０１０６】
（保護カバー４６１）
また、本実施形態では、封印シール４５１が貼着されたベース側板状部４０７及びカバー側板状部４３４に対し、封印シール４５１を覆うようにして、透明な樹脂材料で構成された保護カバー４６１が装着されている。
【０１０７】
尚、一般に、パチンコ機１０等の遊技機は、シュリンクフィルムによりパッケージされて各遊技ホール等に納入される。ところが、シュリンクフィルムに熱をかけて収縮させる際に、かかる熱によって封印シール４５１のＩＣチップ４５４が故障してしまうおそれがある。これに対し、ベース側板状部４０７及びカバー側板状部４３４に保護カバー４６１を装着して封印シール４５１を保護することにより、かかる不具合を抑制している。また、保護カバー４６１の存在により、搬送等に際して、封印シール４５１が破損してしまうといった事態を抑止することができる。また、封印シール４５１の温度が上がり過ぎないようにするために、封印シール４５１をパチンコ機１０の背面側に露出しないように設けることが考えられるが、この場合には、ＩＤ情報が読取りにくくなってしまったり、ＩＤ情報の読取り作業性の低下を招いてしまったりするおそれがあるため、保護カバー４６１を装着してでもパチンコ機１０の背面側に露出した位置に設けることが望ましい。
【０１０８】
図１２、図１６等に示すように、保護カバー４６１は、一方側（右方）に開口する略箱状をなしており、内側にベース側板状部４０７及びカバー側板状部４３４を収容可能となっている。また、保護カバー４６１の上壁部及び下壁部には、爪部を有する係止片部４６２が形成されている。そして、保護カバー４６１の前壁部及び後壁部の内側面に対して、板状部４０７、４３４の位置決めリブ４１３、４４７を摺接させつつ、保護カバー４６１の内側に板状部４０７、４３４を相対的に挿入させることで、係止片部４６２の爪部がカバー側板状部４３４に形成された係止凸部４４６に係止される。これにより、保護カバー４６１が板状部４０７、４３４（基板ボックス２６３）に装着されている。
【０１０９】
さらに、保護カバー４６１の後壁部には、保護カバー４６１の開口側、かつ、上下方向の略中央位置において、後壁部から後方に突出するとともに、前後に貫通するねじ孔４６４（図１６（ｂ）参照）が形成された取付台４６３が設けられている。また、保護カバー４６１の後壁部には、取付台４６３の右方（保護カバー４６１の開口側）に隣接して、後壁部の端縁を切り欠くようにして形成されたカバー側凹部４６５が形成されている。加えて、取付台４６３及びカバー側凹部４６５の周縁部には、取付台４６３よりも後方に延出する囲い壁部４６７が設けられている。
【０１１０】
保護カバー４６１を基板ボックス２６３へ装着した状態では、保護カバー４６１の取付台４６３のねじ孔４６４と、カバー側板状部４３４の可動部４４４の連結孔４５０とが前後に連通した状態となる。本実施形態では、ねじ孔４６４及び連結孔４５０に対して連結手段としての破断ねじ４６８が螺着され、保護カバー４６１と可動部４４４とが連結されるようになっている。これにより、保護カバー４６１は、可動部４４４を連動させない限り（可動部４４４ともども移動させない限り）、基板ボックス２６３から取外せないように構成されている。尚、保護カバー４６１に取付台４６３が設けられることで、破断ねじ４６８の螺着面積を増やすことができたり、当該部位の強度を高めたりすることができる。
【０１１１】
尚、破断ねじ４６８は、ドライバー（工具）の先端と係合する十字穴（工具係合部）が形成された部位を取り除くことのできるねじであり、螺着後、十字穴が形成された部位が取り除かれることで、ドライバーによって破断ねじ４６８を可動部４４４及び保護カバー４６１から取外すことが不可能となる。また、螺着状態にある破断ねじ４６８は、保護カバー４６１の囲い壁部４６７の内側に位置して、保護カバー４６１の後縁部よりも前方に没入した状態となる。さらに、破断ねじ４６８の外周と囲い壁部４６７との間にはほとんど隙間がなく、これにより、破断ねじ４６８の端部をプライヤー等で挟んで回転させ、破断ねじ４６８を取外すといった行為が抑止される。
【０１１２】
（工具挿入部４６９）
また、図１２〜図１４に示すように、ボックスカバー２６３ｂの左壁部（図１２〜図１４では右側の壁部）には、可動部４４４や取付台４６３の直右方の位置において、ボックスカバー２６３ｂの内周側に凹む本体側凹部４７０が形成されている。本実施形態の本体側凹部４７０は、図１２に示すように、保護カバー４６１の取付状態において保護カバー４６１のカバー側凹部４６５と対向し、カバー側凹部４６５との間に工具としてのドライバーの先端部を挿入可能な開口部（工具挿入部４６９）を形成する挿入側凹部４７０ａと、ボックスカバー２６３ｂの後端縁（閉塞板４２３と枠部４２６との境界部）であって、かつ、工具挿入部４６９へのドライバーの挿入方向（前後方向）において挿入側凹部４７０ａを通る仮想直線上に位置する部位に形成された支持側凹部４７０ｂと、挿入側凹部４７０と支持側凹部４７０ｂとを連通させる連通凹部４７０ｃとを備えている。つまり、本体側凹部４７０は、全体として、上下一対の固定部４４２、４４３間を通るようにして、ボックスカバー２６３ｂの前縁部から後縁部にまで延設されている。また、本体側凹部４７０の上下方向における形成幅は、上下一対の固定部４４２、４４３間の距離と同じであり、断面円弧状をなしている。尚、本体側凹部４７０の内周面は、縁壁部４２２に形成された部位とカバー本体４２１に形成された部位との境界部においても段差なく形成されている。
【０１１３】
保護カバー４６１の取付状態において、工具挿入部４６９にドライバーの先端部を挿入することで、当該先端部分を取付台４６３及び可動部４４４の直右方（工具の先端を取付台４６３及び可動部４４４よりも右方かつ可動部４４４の後面よりも前方）に位置させ、取付台４６３及び可動部４４４の右面に当接させることができる。また、工具挿入部４６９にドライバーを挿入する際には、連通凹部４７０ｃの内側にドライバーの先端部を滑らすようにして比較的スムースにドライバーの先端部を工具挿入部４６９に挿入させることができる。さらに、詳しくは後述するが、工具挿入部４６９に先端部を挿入したドライバーによって、てこの要領で保護カバー４６１を取外す際に、ドライバーの支点となる部位が支持側凹部４７０ｂの内側に嵌り込み、ドライバーの支点となる部位の位置ずれが防止されるようになっている。尚、挿入側凹部４７０ａと支持側凹部４７０ｂとは連通していなくてもよいし、連通凹部４７０ｃを省略してもよい。
【０１１４】
次に、基板ボックス２６３の組立作業について説明する。
【０１１５】
先ず、ボックスベース２６３ａの内側に主制御装置２６１を設置するとともに、ボックスベース２６３ａとボックスカバー２６３ｂとを組付ける。次に、ボックスベース２６３ａの第１封印部４０４のいずれか１つと、対応するボックスカバー２６３ｂの第２封印部４３１とをカシメピン４０５によって連結する。続いて、上固定部４４２と下固定部４４３との間の隙間に可動部４４４を組付ける。さらに、ベース側ねじ留め部４０８とカバー側ねじ留め部４３５とをねじ固定する。
【０１１６】
その後、ベース側板状部４０７とカバー側板状部４３４とにかけて封印シール４５１を貼着する。尚、封印シール４５１の上縁部及び下縁部をそれぞれ上下の位置決めリブ４１３、４４７に沿って貼着することで、ＩＣチップ４５４が可動部４４４に配置され、回路構成部４５６が可動部４４４と上固定部４４２との境界部を跨ぐようにして配置されるようになっている。また、板状部４０７及び４３４に貼着された封印シール４５１の上から、ベース側板状部４０７とカバー側板状部４３４とをねじで固定する。
【０１１７】
さらに、ベース側板状部４０７及びカバー側板状部４３４を収容するようにして基板ボックス２６３に保護カバー４６１を装着する。そして、保護カバー４６１と可動部４４４とを破断ねじ４６８によって連結する。以上のようにして、基板ボックス２６３の組立作業が完了する。
【０１１８】
次に、基板ボックス２６３の開封作業について説明する。
【０１１９】
先ず、主制御装置２６１に接続されているコネクタを取外した後、保護カバー４６１を基板ボックス２６３から取外す。より詳しくは、本体側凹部４７０の内側を滑らせるようにしてドライバーの先端部を工具挿入部４６９に挿入する。そして、ドライバーのうち本体側凹部４７０の後縁部（枠部４２６と閉塞板４２３との境界部において形成される部位）と当接する部位を支点とし、ドライバーのうち可動部４４４又は／及び保護カバー４６１の取付台４６３の右面（カバー本体４２１側の面）と当接する先端部位を作用点として、てこの要領でボックスカバー２６３ｂ及び可動部４４４を左方（図１４、図１５では右方）に押圧する。これにより、ボックスカバー２６３ｂ及び可動部４４４が左方にスライドし、図１５のように、保護カバー４６１が可動部４４４とともに基板ボックス２６３から取外される。
【０１２０】
また、保護カバー４６１を取外すべく保護カバー４６１や可動部４４４に対して力を加えると、可動部４４４を介して封印シール４５１にもかかる力が作用する。つまり、可動部４４４ともども保護カバー４６１を取外す際には、封印シール４５１のうち可動部４４４に貼着された部位と、固定部４４１やベース側板状部４０７に貼着された部位との間にせん断力が作用し、封印シール４５１が損傷することとなる。さらに、封印シール４５１のシール部４５２は、その外周縁が鋸歯状に形成されるとともに、アンテナ部４５５や回路構成部４５６に対応して切込み部が形成されていることから、保護カバー４６１を取外すと、封印シール４５１が切断され、封印シール４５１のうち固定部４４１やベース側板状部４０７に貼着されている部位が基板ボックス２６３側に残り、可動部４４４に貼着されている部位が基板ボックス２６３から除去され易い。特に、本実施形態では、封印シール４５１が板状部４０７、４３４に貼着された後に、ベース側板状部４０７とカバー側板状部４３４とを皿ねじ４７７で固定する構成のため、封印シール４５１の一部が、皿ねじ４７７の頭部と、カバー側板状部４３４（固定部４４１）の後面の固定孔４４８周縁部との間に挟まれる格好となる。これにより、保護カバー４６１を取外すことで、封印シール４５１がより切断され易くなっている。また、ＩＣチップ４５４は可動部４４４に対応して配置され、回路構成部４５６は可動部４４４と上固定部４４２との境界部を跨るようにして配置されていることから、ＩＣチップ４５４や回路構成部４５６の一部は可動部４４４に貼着されたまま、基板ボックス２６３から除去されることとなる。尚、本実施形態では、ドライバーを用いて、てこの要領で保護カバー４６１を変位させるだけで保護カバー４６１を取外せることから、複雑な手順が要らず、比較的簡単に保護カバー４６１を取外せるようになっている。
【０１２１】
その後、ベース側板状部４０７とカバー側板状部４３４（固定部４４１）とを固定する皿ねじ４７７を取外すとともに、ベース側ねじ留め部４０８とカバー側ねじ留め部４３５とを固定するねじを取外す。
【０１２２】
さらに、カシメピン４０５によって第１封印部４０４と連結されている第２封印部４３１に連接する連結部４３３を破断する。これにより、第１封印部４０４においてボックスベース２６３ａと連結されている第２封印部４３１と、ボックスカバー２６３ｂとを分離させることが可能となる。そして、ボックスベース２６３ａとボックスカバー２６３ｂとを相対移動させて、係止部４０３の係止状態を解除するとともに、係止部４０３を係止孔４２９から抜き出すことで、基板ボックス２６３が開封される。尚、本実施形態では、係止部４０３の係止状態を解除するためには、ボックスベース２６３ａに対してボックスカバー２６３ｂを左方にスライドさせてから、ボックスカバー２６３ｂを後方に移動させる必要があるため、保護カバー４６１が装着された状態では、第１封印部４０４と連結されている第２封印部４３１周辺の連結部４３３を破断しても、基板ボックス２６３を開封することができない構成となっている。
【０１２３】
次に、パチンコ機１０の電気的構成について説明する。図７は、本パチンコ機１０の電気的構成を示すブロック図である。主制御装置２６１（主制御基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。但し、ＣＰＵ、ＲＯＭ及びＲＡＭが１チップ化されておらず、それぞれの機能毎にチップ化されている構成であってもよい。
【０１２４】
ＲＡＭ５０３は、ＣＰＵ５０１の内部レジスタの内容やＣＰＵ５０１により実行される制御プログラムの戻り先番地などが記憶されるスタックエリアと、各種フラグ及びカウンタ、Ｉ／Ｏ等の値が記憶される作業エリア（作業領域）と、バックアップエリア５０３ａとを備えている。
【０１２５】
また、ＲＡＭ５０３は、パチンコ機１０の電源のオフ後においても電源装置３１３からバックアップ電圧が供給されてデータを保持（バックアップ）できる構成となっており、スタックエリア、作業エリア及びバックアップエリア５０３ａに記憶されるすべてのデータがバックアップされるようになっている。
【０１２６】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、メイン処理によって電源切断時に実行され、逆にバックアップエリア５０３ａに書き込まれた各値の復帰は、電源入時（停電解消による電源入を含む。以下同様）のメイン処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１２７】
なお、少なくともスタックエリアとバックアップエリア５０３ａとに記憶されるデータをバックアップすれば、必ずしもすべてのエリアに記憶されるデータをバックアップする必要はない。例えば、スタックエリアとバックアップエリア５０３ａとに記憶されるデータをバックアップし、作業エリアに記憶されるデータをバックアップしない構成としてもよい。
【０１２８】
かかるＲＯＭ５０２及びＲＡＭ５０３を内蔵したＣＰＵ５０１には、アドレスバス及びデータバス等で構成されるバスライン５０４を介して入出力ポート５０５が接続されている。入出力ポート５０５には、後述するＲＡＭ消去スイッチ回路５４３、払出制御装置３１１、サブ制御装置２６２、第１及び第２特別表示装置４３Ｌ、４３Ｒ、普通図柄表示装置４１等が接続されている。この構成により、上述した特別表示装置４３Ｌ、４３Ｒ、及び普通図柄表示装置４１は、主制御装置２６１により直接的に制御される。一方、装飾図柄表示装置４２は、サブ制御装置２６２を介して制御される。
【０１２９】
その他、便宜上、各種中継基板等の図示は省略するが、入出力ポート５０５には、入賞口スイッチ２２１、カウントスイッチ２２３、始動入賞ユニットスイッチ２２４ａ，２２４ｂ、スルーゲートスイッチ２２５、ハンドル１８の各種スイッチなどの各種検出スイッチや、各種基板、可変入賞装置３２の大入賞口を開閉するシャッタを動作させるための大入賞口ソレノイドなどの各種電気部品が接続されている。つまり、主制御装置２６１には、各種ケーブルコネクタのコネクタを接続するための複数の端子部（基板側コネクタ）が設けられているが、これら端子部等により、入出力ポート５０５が構成される。
【０１３０】
サブ制御手段としてのサブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１３１】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、演出ボタン１２５、各種電飾部及びランプ１０２〜１０４が接続されている。
【０１３２】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する第１及び第２特別表示装置４３Ｌ、４３Ｒにて大当たりか否かを表示するようになっており、サブ制御装置２６２が制御する装飾図柄表示装置４２では、前記特別表示装置４３Ｌ、４３Ｒの表示に合わせた表示が行われる。
【０１３３】
また、払出制御装置３１１は、払出装置３５８により賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１３４】
払出制御装置３１１のＲＡＭ５１３は、主制御装置２６１のＲＡＭ５０３と同様に、ＣＰＵ５１１の内部レジスタの内容やＣＰＵ５１１により実行される制御プログラムの戻り先番地などが記憶されるスタックエリアと、各種フラグ及びカウンタ、Ｉ／Ｏ等の値が記憶される作業エリア（作業領域）と、バックアップエリア５１３ａとを備えている。
【０１３５】
ＲＡＭ５１３は、パチンコ機１０の電源のオフ後においても電源装置３１３からバックアップ電圧が供給されてデータを保持（バックアップ）できる構成となっており、スタックエリア、作業エリア及びバックアップエリア５１３ａに記憶されるすべてのデータがバックアップされるようになっている。なお、少なくともスタックエリアとバックアップエリア５１３ａとに記憶されるデータをバックアップすれば、必ずしもすべてのエリアに記憶されるデータをバックアップする必要はない。例えば、スタックエリアとバックアップエリア５１３ａとに記憶されるデータをバックアップし、作業エリアに記憶されるデータをバックアップしない構成としてもよい。
【０１３６】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、メイン処理によって電源切断時に実行され、バックアップエリア５１３ａに書き込まれた各値の復帰は電源入時のメイン処理において実行される。なお、主制御装置２６１のＣＰＵ５０１と同様、ＣＰＵ５１１のＮＭＩ端子にも、停電等の発生による電源遮断時に停電監視回路５４２から停電信号ＳＫ１が入力されるように構成されており、その停電信号ＳＫ１がＣＰＵ５１１へ入力されると、停電時処理としてのＮＭＩ割込み処理が即座に実行される。
【０１３７】
作業エリアには、払出制御装置３１１による賞球の払出許可が設定される払出許可フラグと、主制御装置２６１から送信されたコマンドを受信した場合に設定されるコマンド受信フラグと、主制御装置２６１から送信されたコマンドが記憶されるコマンドバッファとが設けられている。
【０１３８】
払出許可フラグは、賞球の払出許可を設定するフラグであり、主制御装置２６１から賞球の払出を許可する特定のコマンドが送信され、その特定のコマンドを受信した場合にオンされ、初期設定の処理又は電源遮断前へ復帰された場合にオフされる。本実施形態では、特定のコマンドは、払出制御装置３１１のＲＡＭ５１３の初期処理の指示をする払出初期化コマンドと、賞球の払出を指示する賞球コマンドと、主制御装置２６１が復電された場合に送信される払出復帰コマンドの３つである。
【０１３９】
コマンド受信フラグは、払出制御装置３１１がコマンドを受信したか否かを確認するフラグであり、いずれかのコマンドを受信した場合にオンされ、払出許可フラグと同様に、初期設定の処理又は電源遮断前へ復帰された場合にオフされるとともに、コマンド判定処理により受信されたコマンドの判定が行われた場合にオフされる。
【０１４０】
コマンドバッファは、主制御装置２６１から送信されるコマンドを一時的に記憶するリングバッファで構成されている。リングバッファは所定の記憶領域を有しており、その記憶領域の始端から終端に至るまで規則性をもってコマンドが記憶され、全ての記憶領域にコマンドが記憶された場合には、記憶領域の始端に戻りコマンドが更新されるよう構成されている。よって、コマンドが記憶された場合及びコマンドが読み出された場合に、コマンドバッファにおける記憶ポインタ及び読出ポインタが更新され、その各ポインタに基づきコマンドの記憶と読み出しとが行われる。
【０１４１】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出装置３５８等がそれぞれ接続されている。
【０１４２】
カードユニット接続基板３１４は、パチンコ機１０前面の貸球操作部（球貸しボタン１２１及び返却ボタン１２２）と、遊技ホール等にてパチンコ機１０の側方に配置されるカードユニット（球貸しユニット）とにそれぞれ電気的に接続され、遊技者による球貸し操作の指令を取り込んでそれをカードユニットに出力するものである。なお、カードユニットを介さずに球貸し装置等から上皿１９に遊技球が直接貸し出される現金機では、カードユニット接続基板３１４を省略することも可能である。
【０１４３】
発射制御装置３１２は、発射装置６０による遊技球の発射を許可又は禁止するものであり、発射装置６０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射禁止ボタン１８ａ（図１参照）が操作されていないことを条件に、発射装置６０が駆動され、ハンドル１８の操作量に応じた強度で遊技球が発射される。
【０１４４】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、バスライン５３０を介して、ＣＰＵ５２１、プログラムＲＯＭ５２２、ワークＲＡＭ５２３、ＶＤＰ５２６が接続されている。また、ＶＤＰ５２６にはバスライン５３１を介して出力ポート５２９が接続されており、その出力ポート５２９には液晶表示装置たる装飾図柄表示装置４２が接続されている。
【０１４５】
表示制御装置４５のＣＰＵ５２１は、サブ制御装置２６２から送信される表示コマンドを、入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行う。
【０１４６】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１４７】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１４８】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１４９】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。
【０１５０】
電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。同様に、各種スイッチやモータ等には、これらが接続される制御装置を介して動作電源が供給されることとなる。
【０１５１】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１５２】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１５３】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１５４】
以上詳述したように、本実施形態では、ボックスカバー２６３ｂに設けられたカバー側板状部４３４は、縁壁部４２２と一体形成された固定部４４１と、縁壁部４２２とは別体として形成された可動部４４４とを備え、固定部４４１と可動部４４４とにかけて封印シール４５１が貼着されるとともに、固定部４４１は封印シール４５１を覆う保護カバー４６１と連結されている。このため、保護カバー４６１を基板ボックス２６３から取外そうとすると保護カバー４６１に連動する可動部４４４が固定部４４１に対して相対変位する。これにより、封印シール４５１のうち可動部４４４に貼着された部位と固定部４４１に貼着された部位との間にせん断力が作用し、封印シール４５１が損傷する（破断される）こととなる。従って、封印シール４５１において確実に基板ボックス２６３の開封の痕跡が残り、不正開封を比較的容易に発見することができる。また、当該構成によって、不正開封の抑止効果を期待することもできる。
【０１５５】
また、例えば、封印シール４５１をボックスベース２６３ａとボックスカバー２６３ｂとにかけて貼着するとともに、ボックスベース２６３ａとボックスカバー２６３ｂとの境目で封印シール４５１を切断するような構成を採用する場合（特に、ボックスベース２６３ａとボックスカバー２６３ｂとの間にカッターを設置し、保護カバー４６１の取外しに際して当該カッターが保護カバー４６１に連動して封印シール４５１を切断する場合）、切断面が比較的きれいなものとなる。このため、保護カバー４６１を再度取付けても保護カバー４６１の痕跡に気付き難いことが懸念される。また、保護カバー４６１の切断部位についても基板ボックス２６３の側方となることから、設置スペース等の観点から通常前後に配置されるボックスベース２６３ａ及びボックスカバー２６３ｂの側方を視認しなければ封印シール４５１の損傷を発見することができない。つまり、パチンコ機１０の背面側を正面視するだけでは封印シール４５１の損傷に気付けず、基板ボックス２６３の不正開封の発見が遅れるおそれがある。
【０１５６】
これに対し、本実施形態では、封印シール４５１のうち可動部４４４に貼着された部位を固定部４４１に貼着された部位に対して相対変位させることで封印シール４５１自体を変形させて損傷させるため、損傷箇所にシワ寄りが発生したり、切断されるような場合にも切れ目が不揃い（固定部４４１と可動部４４４との境界部と封印シール４５１との切れ目が一致しない）になったりして、損傷が目立ち易くなる。これにより、一度取外した保護カバー４６１を仮に再度基板ボックス２６３に取付けた場合でも、封印シール４５１の切れ目（封印シール４５１の固定部４４１側に付いた部位の切れ目と可動部４４４側に付いた部位の切れ目）が合致しない、シワが発生している、痕跡の範囲が比較的大きい等のことに起因して、保護カバー４６１を一度取外したことが一目瞭然となる。従って、基板ボックス２６３の不正開封を確実に把握することができる。また、例えば、保護カバー４６１に連動する部材で直接的に封印シール４５１の表面を損傷させる構成に比べ、製造誤差等が生じたとしても保護カバー４６１の取外しに際して確実に封印シール４５１を損傷させる（製造誤差に起因して損傷させるための部材が封印シール４５１に当らなくなり、損傷させることができなくなってしまうといった事態等を回避する）ことができる。加えて、封印シール４５２を切断するべく、保護カバー４６１に連動する比較的鋭利な部材（カッター等）を設けたり、カッターを別途用意して封印シール４５２を切断したりする必要がなく、製造時等の安全性を確保することができる。
【０１５７】
また、前後に重なるベース側板状部４０７及びカバー側板状部４３４のうち後方に位置するカバー側板状部４３４において可動部４４４が設けられているため、パチンコ機１０の背面側に取付けられる基板ボックス２６３の後面側を正面視するだけで封印シール４５１の損傷の有無を確認することができる。つまり、日常では、電源のオンオフを行う際等に内枠１２を開放し、内枠１２の後面側を視認する機会はあるが、さらに基板ボックス２６３を回動させて基板ボックス２６３の前面側を覗くことは稀である。従って、内枠１２を開放した際に、不正開封を発見できる可能性が高まることとなり、結果として、基板ボックス２６３の不正開封の早期発見を図ることができる。
【０１５８】
さらに、本実施形態では、可動部４４４が縁壁部４２２やカバー本体４２１等のボックスカバー２６３ｂの本体部とは別体として構成されていることから、保護カバー４６１を基板ボックス２６３から取外しても、縁壁部４２２やカバー本体４２１が損傷することはない。このため、縁壁部４２２やカバー本体４２１等のボックスカバー２６３ｂの本体部を使用して、主制御装置２６１を再度封印することができる。従って、基板ボックス２６３を一度開封したら二度とボックスカバー２６３ｂの本体部が使用できなくなるような構成に比べ、主制御装置２６１を再度封印する際の作業性の向上、省資源化等を図ることができる。
【０１５９】
また、可動部４４４は、上固定部４４２と下固定部４４３との間に挟まれるようにして設けられている。このため、損傷箇所がカバー側板状部４３４の上下方向の真ん中となる上、保護カバー４６１を基板ボックス２６３から取外す際に、可動部４４４及び固定部４４２、４４３に貼着された封印シール４５１に対してせん断力が作用する部位を増えて（２ラインとなって）シワ寄り等が発生する箇所を増やすことができ、１つの可動部４４４と１つの固定部４４１とにかけて封印シール４５１が貼着される場合に比べ、封印シール４５１の損傷を識別し易くすることができる。従って、封印シール４５１の損傷をより容易に発見することができる。さらに、可動部４４４の移動方向を規定することができ（保護カバー４６１の取外し方向のみとすることができ）、可動部４４４の位置が定まらないことに起因する不具合（封印シール４５１を貼着する前の可動部４４４が脱落し易い、可動部４４４に対して封印シール４５１を好適に貼着し難くなる、保護カバー４６１と可動部４４４との連結作業が困難になる等）を抑止することができる。
【０１６０】
さらに、可動部４４４と保護カバー４６１とが破断ねじ４６８によって連結されているため、保護カバー４６１と可動部４４４とが連動しないように保護カバー４６１を取外すといった行為を確実に防止することができる。また、保護カバー４６１の取外しに際して可動部４４４が変位しても、封印シール４５１のうち可動部４４４に貼着される部位と固定部４４１に貼着される部位とが完全に分断されなかった場合、破断ねじ４６８で封印シール４５１を引っ掛けて、封印シール４５１の損傷の度合いを大きくする（場合によっては破る）ことができる。従って、封印シール４５１の再使用をより確実に不可能とすることができる。
【０１６１】
また、封印シール４５１のうち固定部４４１に貼着された部位は、固定部４４１とベース側板状部４０７とを固定するための皿ねじ４７７によってその位置ずれが抑制されていることから、保護カバー４６１とともに可動部４４４が基板ボックス２６３から取外された場合、封印シール４５１のうち固定部４４１に貼着された部位が可動部４４４側に付いていくことなく確実に固定部４４１側に残存させることができる。従って、より確実に封印シール４５１を破断（切断）することができる。
【０１６２】
さらに、封印シール４５１は、ＩＣチップ４５４とアンテナ部４５５とを電気的に接続し、分断されるとＩＣチップ４５４の識別情報を外部に出力不可能となる回路構成部４５６が、可動部４４４と固定部４４１とに跨るようにして貼着されている。このため、保護カバー４６１を取外した場合に、封印シール４５１の回路構成部４５６が破壊され易く、破壊された場合には、スキャナーで識別情報を読み取ることができなくなる。従って、基板ボックス２６３が不正開封されたことをより確実に把握することができる。
【０１６３】
また、上記のように、保護カバー４６１を基板ボックス２６３から取外す場合には、可動部４４４を変位させる必要があり、特に、可動部４４４と固定部４４１とにかけて封印シール４５１が貼着されているため、可動部４４４を変位させるには比較的大きな力を必要とする。これに対し、本実施形態では、保護カバー４６１と縁壁部４２２との連接部においてドライバーの先端部を挿入させて可動部４４４の右面（縁壁部４２２側の面）に当接させることのできる工具挿入部４６９が形成されている。
【０１６４】
そして、工具挿入部４６９にドライバーの先端部を差し入れて、ドライバーのうち、可動部４４４に当接する部位を作用点とし、カバー本体４２１（枠部４２６）の後端縁に当接する部位を支点として、てこの要領で保護カバー４６１を取外すことができる。従って、保護カバー４６１を手で引っ張って取外す場合に比べ、保護カバー４６１の取外しに要する力を低減させることができ、保護カバー４６１の取外しに際しての作業性を向上させることができる。
【０１６５】
特に、ドライバーの先端部を可動部４４４に当接可能とすることで、封印シール４５１によって移動が規制されている可動部４４４に直接力を加えることができ、よりスムースに保護カバー４６１の取外しを行うことができる上、保護カバー４６１への負担が軽減されるため、保護カバー４６１を極力薄肉とすることができる。また、保護カバー４６１の取付台のねじ孔４６４及び可動部４４４の連結孔４５０に螺着される破断ねじ４６８は、工具挿入部４６９の近傍部位に位置することから、保護カバー４６１の取外しに際してドライバーに押圧される部位の剛性を高めることができ、ドライバーに押圧された部位が破損し、てこの要領で取外しができなくなってしまうといった事態を抑制することができる。
【０１６６】
また、上記のように保護カバー４６１は封印シール４５１を覆う構成であるため、保護カバー４６１に対して工具挿入部４６９用の凹部（カバー側凹部４６５）を形成するとなると、その分だけ保護カバー４６１で封印シール４５１を覆うことのできる面積が減少する。つまり、封印シール４５１が露出しないように封印シール４５１が貼着される板状部４０７、４３４を形成したり、保護カバー４６１にカバー側凹部４６５が形成された分だけ保護カバー４６１を大きくしたりする必要が生じ、保護カバー４６１、ひいては保護カバー４６１が装着されて一体となった基板ボックス２６３全体の大型化が懸念される。これに対し、本実施形態によれば、縁壁部４２２及びカバー本体４２１にも工具挿入部４６９用の凹部（本体側凹部４７０）が形成されているため、カバー側凹部４６５を極力小さくし、かかる不具合を抑制することができる。
【０１６７】
また、縁壁部４２２及びカバー本体４２１に形成された本体側凹部４７０は、ドライバーの工具挿入部４６９への挿入方向において、カバー本体４２１の後端縁から可動部４４４の右面と対向する位置にまで延設されている。このため、本体側凹部４７０の内側においてドライバーの先端部を滑らすようにしてスムースにドライバーの先端部を可動部４４４と当接可能な位置まで移動させることができる上、てこの要領で保護カバー４６１を取外す際に、ドライバーのうち支点となる部位が本体側凹部４７０の内側に位置して、当該部位の位置ずれを防止することができる。従って、保護カバー４６１の取り外し作業性の向上をより一層図ることができる。
【０１６８】
なお、上述した実施形態の記載内容に限定されず、例えば次のように実施してもよい。
【０１６９】
（ａ）上記実施形態では、保護カバー４６１にカバー側凹部４６５が形成され、ボックスカバー２６３ｂに本体側凹部４７０が構成され、カバー側凹部４６５と本体側凹部４７０とで構成された工具挿入部４６９に対してドライバーを挿入し、てこの要領で保護カバー４６１を比較的容易に取外せるように構成されているが、特にこのような構成に限定されるものではない。
【０１７０】
例えば、図１７に示すように構成してもよい。図１７に示す保護カバー７０１には、保護カバー７０１の内側にカッターの刃等を挿入し、カッターの刃を封印シール４５１に圧接させたままスライド可能とする工具挿入部としてのスリット７０２が形成されている。当該スリット７０２は保護カバー７０１の後壁部７０３と左壁部７０４とにかけて連続的に形成されており、図１７ではスリット７０２が２本形成されているが、それぞれ可動部４４４と固定部４４１との境界部に対向する位置に形成されている。このため、一方のスリット７０２は、封印シール４５１の回路構成部４５６と対向する位置にも形成されていることとなる。
【０１７１】
また、スリット７０２の形成範囲は、保護カバー７０１の後壁部７０３においては当該後壁部７０３の左右方向中央部よりも左方であり、保護カバー７０１の左壁部７０４においてはベース側板状部４０７の前面よりも後方であり、また、保護カバー７０１の前壁部にはスリット７０２が形成されていない。このため、封印シール４５１のうち、カバー側板状部４３４の後面に貼着された部位と、カバー側板状部４３４の左面に貼着された部位とにカッターで切れ込みを入れることができる。その一方で、スリット７０２からカッターを挿入させても、封印シール４５１の端縁やベース側板状部４０７に貼着された部位を切ることは不可能であり、カッターによって封印シール４５１を完全に（２つ以上に）切断することができないように構成されている。
【０１７２】
当該構成を採用する場合、保護カバー７０１の取外しに際して（取外しに先立って）、スリット７０２から保護カバー７０１の内側にカッターの刃を挿入させ、板状部４０７、４３４に貼着されている封印シール４５１を切り込むことができる。これにより、保護カバー７０１の取外しに際して封印シール４５１の接着力やシート自体の剛性等に基づく反力を低減させることができる。従って、封印シール４５１が貼着された可動部４４４を変位させるために要する力を減少させることができ、比較的容易に保護カバー７０１を取外すことができるようになる。さらに、封印シール４５１に切り込みが入るため、保護カバー７０１を基板ボックス２６３から取外すと、封印シール４５１のうち可動部４４４に貼着された部位は可動部４４４に付いていき、固定部４４１に貼着された部位は固定部４４１に残るように封印シール４５１が切断され易くなる。従って、封印シール４５１に開封の痕跡を残して、不正開封を確実に把握するといった作用効果が一層確実に奏される。
【０１７３】
また、上記スリット７０２の形成範囲は封印シール４５１の貼着範囲に比べて小さく、当該スリット７０２からカッターを挿入させても、カッターによって封印シール４５１を完全に切断する（封印シール４５１を左右に切断して上下に分断する）ことができないように構成されている。このため、保護カバー７０１の取外しに際して、保護カバー７０１がきれいに破断されるのではなく、可動部４４４に貼着された部位とそれ以外の部位に貼着された部位とが繋がっている部分があり、当該部分でシワ寄り等が発生する。従って、保護カバー７０１の取外しに際して封印シール４５１をあえてある程度切り難くしていることで、封印シール４５１に対して切れ目以外の比較的目立つ痕跡を残すことができ、基板ボックス２６３の不正開封の早期発見等の作用効果を期待することができる。
【０１７４】
さらに、スリット７０２は可動部４４４と固定部４４１との境界部に対向して形成されているため、封印シール４５１に切込みを入れて可動部４４４を変位し易くする（保護カバー７０１を取外し易くする）といった作用効果が一層確実に奏される。特に、封印シール４５１の回路構成部４５６が可動部４４４と固定部４４１とに跨るように配置されているため、カッターによって確実に回路構成部４５６が切断されることとなる。
【０１７５】
また、可動部４４４の左面、すなわち、保護カバー７０１の取外し方向側の面にも封印シール４５１が貼着されているため、保護カバー７０１とともに可動部４４４が変位すると確実に封印シール４５１が損傷させられることになる。しかしながら、この場合、可動部４４４の保護カバー７０１の取外し方向側に封印シール４５１の壁ができてしまい、可動部４４４を保護カバー７０１の取外し方向側に変位させ難くなる。これに対し、本態様例では、封印シール４５１のうち可動部４４４の保護カバー７０１の取外し方向側の面に貼着された部位に対向してスリット７０２が形成されているため、当該スリット７０２を介して封印シール４５１を切り込むことで、封印シール４５１により可動部４４４の移動を規制する力を飛躍的に弱めることができる。従って、可動部４４４の保護カバー７０１の取外し方向側に封印シール４５１が位置する場合であっても、保護カバー７０１を取外す際の作業性の向上を図ることができる。
【０１７６】
尚、図１７の構成を採用する場合、板状部４０７、４３４のうちスリット７０２と対向する部位において溝状部を形成することとしてもよい。この場合、溝状部の形成位置において封印シール４５１と板状部４０７、４３４（溝状部の底面）との間に隙間ができ、カッターで封印シール４５１をより切り込み易くすることができる。
【０１７７】
また、封印シール４５１に対し、固定部４４１と可動部４４４との境界部の少なくとも一部に対応する部位において、スリットやミシン目を予め形成しておくこととしてもよい。この場合、保護カバー７０１の取外しに際して封印シール４５１に切込みを入れる当該（ａ）に記載の構成を基本的に同様の作用効果が奏される。また、封印シール４５１のうち固定部４４１に貼着される部位と可動部４４４に貼着される部位とは完全に切れておらず、少なくとも一部が繋がっていることとしてもよい。この場合、封印シール４５１が切断された際の封印シール４５１にシワ等の切れ目以外の痕跡を形成したり、切れ目をギザギザさせたりすることができる。
【０１７８】
（ｂ）上記実施形態では、カバー側板状部４３４が固定部４４１と可動部４４４とにより構成され、可動部４４４がボックスカバー２６３ｂのカバー本体４２１や縁壁部４２２とは別体として形成される（別ピースである）構成となっているが、特にこのような構成に限定されるものではなく、保護カバー４６１の取外しに際して、封印シール４５１の貼着される部位の一部が保護カバー４６１に連動するよう構成されていればよい。
【０１７９】
以下、図１８、図１９に示す態様例について説明する。ボックスカバー２６３ｂの縁壁部４２２（裾部４２８）から左方に突出形成されたカバー側板状部７１１は、前方に開口する略箱状に構成されるとともに、その後壁部７１２は、縁壁部４２２から直接延出形成された上固定部７１３及び下固定部７１４と、上固定部７１３と下固定部７１４との間に形成され、上固定部７１３、下固定部７１４、及びカバー側板状部７１１の左壁部（側壁部７１５）に対してそれぞれ幅の狭い連結部７１６を介して連結された可動部７１７とにより構成されている。また、縁壁部４２２には、可動部７１７の直右方の部位において、縁壁部４２２の内周側に凹む設置凹部７１８が形成されている。設置凹部７１８の上下幅は、可動部７１７の上下幅と同等であり、設置凹部７１８の底面は、可動部７１７（少なくとも可動部７１７の後面）よりも前方に位置している。尚、側壁部７１５のうち可動部７１７に対応する部位においては、その後端縁が設置凹部７１８の底面よりも前方に位置している。このため、可動部７１７と側壁部７１５とを連結する連結部７１６は、設置凹部７１８の底面よりも前方に位置しており、さらに、当該連結部７１６のうち設置凹部７１８の底面よりも前方に位置する部位には薄肉部７１９が形成されている。
【０１８０】
さらに、設置凹部７１８の内側には、押圧ピース７２０が設置される。押圧ピース７２０は、後方に開口する連結穴７２１が形成されるとともに、その左面（図１８では右側の面）が前方かつ右方に向けて傾斜している。
【０１８１】
また、保護カバー７２２の後壁部には、右方に突出形成され、前後に貫通するねじ孔７２４が形成された取付部７２３が設けられている。そして、設置凹部７１８に押圧ピース７２０が設置された後、板状部４０７、４３４を内側に収容するようにして保護カバー７２２を板状部４０７、４３４に装着すると、押圧ピース７２０の連結穴７２１と、取付部７２３のねじ孔７２４とが前後に連通するため、そこに破断ねじ７２５を螺着することで押圧ピース７２０と取付部７２３とが連結される（図１９（ａ）参照）。尚、破断ねじ７２５は、螺着後、十字穴が形成された工具係合部が除去され、取付部７２３の内側に没入した状態とされる。
【０１８２】
保護カバー７２２の取外しに際しては、図１９（ｂ）に示すように、保護カバー７２２を左方に移動させる。このとき、保護カバー７２２に連結された押圧ピース７２０についても左方に移動するため、当該押圧ピース７２０の左面と、カバー側板状部７１１の可動部７１７の右端縁とが圧接することとなる。押圧ピース７２０の左面は上記のように傾斜していることから、押圧ピース７２０に押圧される可動部７１７には前方に向かう力も作用することとなり、連結部７１６が破断されると、可動部７１７が押圧ピース７２０に案内されるようにして前方へ傾倒する。つまり、保護カバー７２２の装着状態においては、可動部７１７の貼着面と固定部７１３、７１４の貼着面とがほぼ面一であるが、可動部７１７は保護カバー７２２に連動すると固定部７１３、７１４の貼着面に対して交差する方向に傾倒変位する。このとき、封印シール４５１のうち可動部７１７に貼着された部位と、固定部７１３、７１４に貼着された部位との間にせん断力が作用し、封印シール４５１が損傷（破断等）されることとなる。
【０１８３】
当該構成を採用する場合、保護カバー７２２の取外しに際して保護カバー７２２に連動した可動部７１７が固定部７１３、７１４に対して相対変位する際に、封印シール４５１の比較的広範囲にわたりほぼ均等なせん断力が作用するのではなく、封印シール４５１の端縁に対して最も大きなせん断力を作用させることができる。これにより、封印シール４５１の端縁から比較的スムースに封印シール４５１が連続的に破断されて行き易い。従って、封印シール４５１をより破断し易くすることができるとともに、保護カバー７２２の取外しに要する力を低減させることができる。また、当該構成を採用する場合、一度取外した保護カバー７２２を再度基板ボックス２６３に取付けることが困難である。つまり、可動部７１７が折り取られる上、押圧ピース７２０を取外さないと封印シール４５１が平らに貼り付けられているように見せられない。従って、（保護カバー７２２の取外しに際してある程度封印シール４５１が破れ難いように構成されていなくても、）開封の痕跡が分かり難いように細工されるといった事態を抑止することができる。
【０１８４】
尚、図１８、図１９の構成では、可動部７１７がなくても押圧ピース７２０で封印シール４５１を損傷させることが可能であるが、この場合には、封印シール４５１の貼着状態が不安定になる、貼着作業性の低下を招く、きれいに貼着させることが困難になる等の不具合を招くおそれがある。
【０１８５】
（ｃ）上記実施形態では、ベース側板状部４０７及びカバー側板状部４３４に対して封印シール４５１が巻かれるようにして貼着されているが、封印シール４５１は、保護カバー４６１で覆われる部位において、保護カバー４６１に連動する部位と、保護カバー４６１に連動しない部位とにかけて貼着されていればよい。尚、封印シール４５１は、少なくともベース側板状部４０７の後面に貼着され、ベース側板状部４０７が保護カバー４６１に連動する可動部４４４と、連動しない固定部４４１とを備えていることが望ましい。この場合、裏枠セット２１５に対して回動可能に設けられた基板ボックス２６３を回動させて基板ボックス２６３の前面側を確認しなくても、内枠１２を開放させて内枠１２の裏面側を視認することで、封印シール４５１の損傷を発見することができる。また、保護カバー４６１及び可動部４４４の取外し方向側の面である左面にも封印シール４５１が貼着されることによって、可動部４４４の変位に伴って封印シール４５１をより確実に損傷させることができる。但し、封印シール４５１がボックスベース２６３ａとボックスカバー２６３ｂとにかけて貼着されないような構成を採用する場合には、上記実施形態のように、保護カバー４６１を基板ボックス２６３から取外さない限り、基板ボックスを開封することができないような構成とする。
【０１８６】
また、封印シール４５１の貼着部位は特に限定されるものではないが、基板ボックス２６３の後面側から封印シール４５１表面に記された識別情報が視認可能なように、また、大型化を抑制しつつ基板ボックス２６３の収容空間を効率的に使用できるように、板状部４０７、４３４を設けてそこに封印シール４５１を貼着することが望ましい。尚、上記実施形態では、封印シール４５１の表面に識別情報が記されている上、封印シール４５１において識別情報を記憶しているＩＣチップ４５４が搭載されているがどちらか一方だけでもよい。さらに、封印シール４５１が識別情報を有する構成としなくてもよく、この場合においても、封印シール４５１は、保護カバー４６１が取外されたか否かの判別可能とする機能を有することとなる。
【０１８７】
加えて、上記実施形態では、封印シール４５１が板状部４０７、４３４に貼着された後に皿ねじ４７７が螺着されるように構成されているが、先に皿ねじ４７７を螺着して、その後に封印シール４５１を貼着してもよい。但し、封印シール４５１のうち固定部４４１に貼着された部位が保護カバー４６１の取外しに際して可動部４４４にくっついて行かないようにする（より確実に固定部４４１に残す）べく、保護カバー４６１の取外しに際して皿ねじ４７７で封印シール４５１を支持できる構成とすることが望ましい。また、封印シール部４５１のうち固定部４４１に貼着された部位が可動部４４４にくっついて行くことを抑制するものとしては特に皿ねじ４７７に限定されるものではなく、係止爪等のその他の構成を採用することができる。
【０１８８】
また、上記実施形態では、保護カバー４６１が取外された場合に、シート状のシール部４５２を有する封印シール４５１に痕跡が形成されるように構成することで、基板ボックス２６３の不正開封を把握し易くする構成となっているが、例えば、当該構成に代えて、シール部４５２がなく、アンテナ付きＩＣチップ４５３を直接板状部４０７、４３４に貼着し、開封の痕跡がアンテナ付きＩＣチップ４５３に表れるように構成してもよい。
【０１８９】
尚、上記実施形態では、工具挿入部４６９にドライバーの先端部を挿入して、てこの要領で保護カバー４６１を取外す構成となっているが、工具挿入部４６９に先端部を挿入して保護カバー４６１を取外すものは特に限定されるものではない。但し、比較的硬く棒状のもの（本体側凹部４７０の支持側凹部４７０ｂの内側に入るもの）を採用することが望ましい。例えば、ボールペン等の工具でないものを使用することも可能である。
【０１９０】
（ｄ）上記実施形態において、保護カバー４６１と可動部４４４との連結に関する構成を以下のように構成してもよい。すなわち、連結手段としての破断ねじ４６８については、前記連結に際して工具としてのドライバーの先端部が係合される十字穴が形成された工具係合部（第１係合部）を離脱（除去）可能な構成とした上で、破断ねじ４６８のうち工具係合部とは反対側の先端部において、ドライバーの先端部と係合可能な十字穴又はすりわり（第２係合部）を形成する。また、基板ボックス２６３から保護カバー４６１（及び可動部４４４）を取外した後、保護カバー４６１を前面側から正面視して、可動部４４４の連結孔４５０（連結孔４５０内側の破断ねじ４６８の先端）を直接視認できるように、保護カバー４６１の前壁部に凹部を形成する。但し、保護カバー４６１の基板ボックス２６３への装着状態においては、当該凹部の後側（内面側）がボックスベース２６３ａ等で覆われ、当該凹部から保護カバー４６１の内側に異物が侵入しないように（破断ねじ４６８が取外されないように）構成する。
【０１９１】
以上のような構成を採用する場合、保護カバー４６１と可動部４４との連結に際しては、第１係合部にドライバーの先端部を係合させ、破断ねじ４６８を保護カバー４６１及び可動部４４４に螺着させることができる。また、保護カバー４６１が基板ボックス２６３に取付けられた状態では第２係合部が保護カバー４６１の内側に位置して、第２係合部へ工具を係合させることが不可能となる上、破断ねじ４６８の螺着後、第１係合部を除去することで、破断ねじ４６８を取外せない状態となる。
【０１９２】
基板ボックス２６３から保護カバー４６１を取外した場合には、第２係合部が露出するため、第２係合部へドライバーの先端部を係合させることができる。従って、破断ねじ４６８を保護カバー４６１及び可動部４４４から取外すことができ、保護カバー４６１及び可動部４４４を再利用することができる。
【０１９３】
尚、可動部４４４の連結孔４５０には雌ねじを形成するが、保護カバー４６１の取付台４６３のねじ孔４６４には雌ねじ等を形成しない構成としてもよい。また、第１係合部を離脱させた状態においては、破断ねじ４６８を保護カバー４６１の前壁部側に取外せるように構成してもよい。
【０１９４】
尚、上記実施形態では、保護カバー４６１を一度取外しても再度保護カバー４６１を基板ボックス２６３に取付けることが可能な構成（保護カバー４６１を取外しても係止片部４６２及び係止凸部４４６が元の状態のまま残る）となっているが、保護カバー４６１を取外すと再度取付けることが不可能となる（例えば、係止片部４６２が折れるように構成し、板状部４０７、４３４を覆うようにして保護カバー４６１を取付けるとガタツキ等が生じる）ように構成してもよい。
【０１９５】
（ｅ）上記実施形態では、第１封印部４０４と第２封印部４３１とがカシメピン４０５で連結され、保護カバー４６１と可動部４４４とが破断ねじ４６８で連結されているが、基板ボックス２６３、封印シール４５１、及び保護カバー４６１のいずれかに所定の痕跡を形成しなければ、基板ボックス２６３を開封することができないように連結する（かしめる）構成であれば任意の構成が適用できる。例えば、カシメピンや破断ねじの他、取外す方向に回すことのできないワンウェイねじや、当初液状又はペースト状をなし、カシメ凹部及びカシメ孔４３２に充填後、硬化する性質を有する硬化性樹脂（光硬化性樹脂等）等で連結を行うこととしてもよい。
【０１９６】
尚、第１封印部４０４及び第２封印部４３１の形状や数はパチンコ機１０等の機種毎に適宜設定可能である。また、第１封印部４０４及び第２封印部４３１を省略することも可能である。さらに、板状部４０７、４３４の形成位置や、保護カバー４６１の取付方向（取外し方向）についても特に限定されるものではない。さらに、カバー側板状部４３４の後面（後壁部）は、必ずしも保護カバー４６１の取外し方向と平行に延出していなくてもよく、交差する方向に延在させてもよい。
【０１９７】
（ｆ）上記実施形態では、ボックスベース２６３ａとボックスカバー２６３ｂとの組み付けに際し、ボックスベース２６３ａの後面側からボックスカバー２６３ｂを近接させて係止部４０３を係止孔４２９に挿入させるとともに、ボックスベース２６３ａに対してボックスカバー２６３ｂを右方にスライドさせて係止部４０３を係止孔４２９周縁部に係止させるよう構成されているが、特にこのような構成に限定されるものではない。例えば、ボックスベース２６３ａ及びボックスカバー２６３ｂを左右方向、上下方向、前後方向のいずれかに相対移動させるだけで組み付けられるよう構成したり、一側部側を軸支させて回動させたりすることで組付けが行われるよう構成してもよい。
【０１９８】
尚、ボックスベース２６３ａに対するボックスカバー２６３ｂの組付け方向（取外し方向）と、保護カバー４６１の基板ボックス２６３への取付方向（取外し方向）とが同一である場合、保護カバー４６１を基板ボックス２６３（カバー側板状部４３４）から取外さなくても、第１封印部４０４に連結された第２封印部４３１周辺の連結部４３３を破断し、ボックスカバー２６３ｂをスライドすることで、基板ボックス２６３を開封することができるが、封印シール４５１はボックスベース２６３ａ（ベース側板状部４０７）とボックスカバー２６３ｂ（カバー側板状部４３４）とにかけて貼着されているため、基板ボックス２６３の開封に際して、封印シール４５１が損傷（破断）されることとなる。つまり、保護カバー４６１を基板ボックス２６３から取外さなくても基板ボックス２６３を開封することができる構成を採用する場合には、封印シール４５１がボックスベース２６３ａとボックスカバー２６３ｂとにかけて貼着されることとする。勿論、当該構成においても、保護カバー４６１を基板ボックス２６３（カバー側板状部４３４）から取外す場合には、可動部４４４が保護カバー４６１に連動して、封印シール４５１のうち少なくともカバー側板状部４３４の後面に貼着された部位が損傷することとなる。
【０１９９】
また、主制御装置２６１を収容する基板ボックス２６３のみならず、その他の制御装置を収容する基板ボックスに関しても、基板ボックス２６３と同様の構成を具備することとしてもよい。
【０２００】
（ｇ）上記実施形態において、カバー側板状部４３４の係止凸部４４６、及び、保護カバー４６１の係止片部４６２を省略することも可能である。但し、保護カバー４６１の基板ボックス２６３からの脱落を防止する（保護カバー４６１の取外し方向への移動を規制する）手段があることで、保護カバー４６１を取外す必要がないときに保護カバー４６１が取外し方向に変位し、これに伴って封印シール４５１が損傷してしまうといった事態を防止することができる。
【０２０１】
（ｈ）上記実施形態では特に言及していないが、可動部４４４は、その貼着面（後面）が、固定部４４１の貼着面よりも突出するようにして基板ボックス２６３に対して着脱可能に組付けられていることとしてもよい。すなわち、可動部４４４及び固定部４４１への封印シール４５１の貼着状態の安定化を図る上では、可動部４４４及び固定部４４１の貼着面が面一であることが望ましいのではあるが、可動部４４４はカバー本体４２１や縁壁部４２２とは別体として構成されるため、製造誤差や組付け誤差等により、固定部４４１との間に貼着面のずれが生じてしまうことが懸念される。従って、可動部４４４の変位に伴って封印シール４５１のうち可動部４４４に貼着された部位についても確実に変位させることができるように、可動部４４４を固定部よりも突出するように設計しておき、可動部４４４に対して確実に封印シール４５１が貼着されるように構成することが望ましい。
【０２０２】
（ｉ）上記実施形態において、収容ボックス（第２構成部）の本体部を構成するカバー本体４２１及び縁壁部４２２には、保護カバー４６１との連接部位において、保護カバー４６１の（開口部の）周縁部を外側（外周側）から覆う被覆リブが設けられていることとしてもよい。この場合、カバー本体４２１及び縁壁部４２２と保護カバー４６１との間からカバー側板状部４３４（及びベース側板状部４０７）を切断してカバー側板状部４３４ごと保護カバー４６１を取外し、基板ボックス２６３を不正開封した後、接着剤を用いてカバー側板状部４３４を縁壁部４２２に接着し、封印シール４５１に痕跡を残すことなく基板ボックス２６３を再封印するといった行為を抑制することができる。尚、被覆リブは、ある程度強い力が付加されたり、カバー本体４２１及び縁壁部４２２から切り離されたりした場合に破損するように（例えば、カバー本体４２１の各壁部や縁壁部４２２等よりも薄肉にする、カバー本体４２１及び縁壁部４２２からの突出長を極力短く（例えば３ｍｍ以下）する等）設計されることが望ましい。また、保護カバー４６１の開口部周縁や係止片部４６２が損傷し易く構成されていることとしてもよい。
【０２０３】
（ｊ）上記実施形態では、カバー側板状部４３４が可動部４４４を備え、可動部４４４にも封印シール４５１が貼着される構成となっているが、可動部４４４には封印シール４５１が貼着されないように構成してもよい。つまり、保護カバー４６１の取外しに際して保護カバー４６１に連動する可動部が設けられ、保護カバー４６１の取外しに際して可動部が保護カバー４６１に連動すると、封印シール４５１に所定の痕跡が形成される（引掻き傷が形成されたり破断されたりする等）ようになっていればよい。当該構成を採用する場合においても、保護カバー４６１の取外しに際しては可動部を連動させなければならないため、単に保護カバー４６１だけを取外せばよいような構成に比べ、取外しに際して比較的大きな力を要することが懸念される。従って、上記実施形態のように工具挿入部４６９を形成して、「てこ」の要領で保護カバー４６１を取外し可能としたり、図１７に示すようにスリット７０２を形成し、スリット７０２を介してカッターで封印シール４５１に対して事前に切込みを入れたりすることで、保護カバー４６１の取外しに際して要する力を低減させることができ、作業性の向上を図ることができる。
【０２０４】
（ｋ）上記実施形態とは異なるタイプのパチンコ機として実施してもよい。また、パチンコ機以外にも、アレンジボール機、それに類する雀球等の各種遊技機、回胴式遊技機としてのスロットマシンや、スロットマシンとパチンコ機とを融合した形式の遊技機などとして実施してもよい。
【０２０５】
［付記］
上記実施形態から把握できる技術的思想について、以下に記載する。
【０２０６】
遊技機の一種として、パチンコ遊技機やスロットマシン等が知られている。これらの遊技機は、ＣＰＵ（中央処理装置）や遊技に関わる制御プログラムが記憶されたＲＯＭ等の電子部品が実装された制御基板（制御装置）を備えており、その制御基板によって一連の遊技が制御されている。
【０２０７】
この種の遊技機においては、不正な利益を得ることを目的として、制御基板を不正に取り外して当該基板のＲＯＭ（ＣＰＵやＲＯＭが１チップ化されている場合は当該チップ）
を交換し遊技内容を変更したり、リード線等により外部から不正な電気信号を制御基板に入力させたりする等、制御基板に対しての不正行為が数多く報告されており、各種の不正対策が検討されている。例えば、制御基板を収容する基板ボックスを設け、基板ボックスを構成するボックスベース及びボックスカバーの接合部に再貼着不可能であり剥がすと痕跡が残る封印シールを貼着する等の不正対策が採用されている（例えば特開２００３−１８０９１７号公報参照）。
【０２０８】
しかしながら、上記封印シールは、例えば、溶剤等が用いられることで、跡（外傷）が目立たないように剥がされてしまうおそれがある。このため、基板ボックスが不正開封された後、かかる封印シールが再度貼着されてしまうと、不正開封の発見が遅れてしまうことが懸念される。
【０２０９】
なお、上記課題は、パチンコ機に限らず、同様の構造を有する他の遊技機にも該当する問題である。
【０２１０】
本発明は、上記例示した問題点等を解決するためになされたものであり、その目的は、制御装置の不正対策をより確実に図ることのできる遊技機を提供することにある。
【０２１１】
手段１．第１構成部と第２構成部とを具備し、前記第１構成部と前記第２構成部との間に制御装置を収容する収容ボックスと、
前記収容ボックスに固着されるシート状のシール手段と、
前記シール手段を覆うようにして前記収容ボックスに取付けられ、透視性を有する保護カバーと、
前記保護カバーとは別体として構成されるとともに、前記保護カバーを前記収容ボックスから取外す場合に前記保護カバーと連動する可動部とを備え、
前記保護カバーを前記収容ボックスから取外す場合に、前記可動部が前記保護カバーに連動することで、前記シール手段に対して所定の痕跡が形成され得る構成において、
前記保護カバー、又は、前記保護カバーと前記収容ボックスとの連接部には、工具を挿入させ、前記可動部を変位させ易くすることのできる工具挿入部が形成されていることを特徴とする遊技機。
【０２１２】
手段１によれば、保護カバーを収容ボックスから取外そうとすると可動部が保護カバーに連動することで、シール手段に所定の痕跡が形成される（損傷する、破断される）こととなる。従って、シール手段において収容ボックスの開封の痕跡が残り、不正開封を比較的容易に発見することができる。
【０２１３】
また、上記のように、保護カバーを収容ボックスから取外す場合には、可動部を変位させる必要がある。つまり、単に保護カバーだけを移動させるような構成に比べ、保護カバーの取外しに際して比較的大きな力を必要とすることとなる。これに対し、本手段によれば、工具を挿入させ、可動部を変位させ易くすることのできる工具挿入部が形成されている。従って、工具挿入部に工具を挿入させすることで、保護カバーを比較的容易に取外すことができる。加えて、工具挿入部を設けることで、保護カバーの取外し作業性の低下を抑制しつつ、保護カバーを取外す必要（意思）がないときに保護カバーが外れてしまうことをより確実に防止できるよう構成することができる。
【０２１４】
尚、保護カバーの取外しに際して、可動部が直接シール手段に接触してシール手段を損傷等させる構成としてもよいし、シール手段が固着されている部位やその近傍部位に可動部が接触することで間接的にシール手段が損傷等するよう構成してもよい。
【０２１５】
手段２．第１構成部と第２構成部とを具備し、前記第１構成部と前記第２構成部との間に制御装置を収容する収容ボックスと、
前記収容ボックスに固着されるシート状のシール手段と、
前記シール手段を覆うようにして前記収容ボックスに取付けられ、透視性を有する保護カバーとを備え、
前記収容ボックスのうち前記シール手段が固着される固着部は、前記保護カバーを前記収容ボックスから取外す際に、前記保護カバーと連動して変位する前記可動部と、連動しない固定部とを有し、
前記保護カバー、又は、前記保護カバーと前記収容ボックスとの連接部には、工具を挿入させ、前記可動部を変位させ易くすることのできる工具挿入部が形成されていることを特徴とする遊技機。
【０２１６】
手段２によれば、保護カバーを収容ボックスから取外そうとすると保護カバーに連動する可動部が固定部に対して相対変位する。このため、シール手段のうち可動部に固着された部位と固定部に固着された部位との間にせん断力が作用し、シール手段が損傷する（破断される）こととなる。従って、シール手段において確実に収容ボックスの開封の痕跡が残り、不正開封を比較的容易に発見することができる。また、当該構成によって、不正開封の抑止効果を期待することもできる。
【０２１７】
また、上記のように、保護カバーを収容ボックスから取外す場合には、可動部を変位させる必要がある。特に、可動部と固定部とにかけてシール手段が固着されており、可動部を変位させるには比較的大きな力を必要とする。これに対し、本手段によれば、工具を挿入させ、可動部を変位させ易くすることのできる工具挿入部が形成されている。従って、工具挿入部に工具を挿入させすることで、保護カバーを比較的容易に取外すことができる。
【０２１８】
尚、例えば、シール手段を第１構成部と第２構成部とにかけて固着するとともに、第１構成部と第２構成部との境界部において（例えばカッター等で）シール手段を切断するような構成を採用する場合、切断面が比較的きれいなため、保護カバーを再度取付けても保護カバーの痕跡に気付き難いことが懸念される。また、保護カバーの切断部位についても第１及び第２収容体の側方となることから、設置スペース等の観点から通常前後に配置される第１及び第２収容体の側方を視認しなければシール手段の損傷を発見することができない。つまり、遊技機の背面側を正面視するだけではシール手段の損傷に気付けず、収容ボックスの不正開封の発見が遅れるおそれがある。
【０２１９】
これに対し、本手段では、シール手段のうち可動部に固着された部位を固定部に固着された部位に対して相対変位させることでシール手段自体を変形させて損傷させるため、損傷箇所にシワ寄りが発生したり、切断されるような場合にも切断面が不揃いになったりして、損傷が目立ち易くなる。これにより、一度取外した保護カバーを仮に再度収容ボックスに取付けた場合でも、シール手段の切れ目が合致しない、シワが発生している、痕跡の範囲が比較的大きい等のことに起因して、保護カバーを一度取外したことが一目瞭然となる。従って、収容ボックスの不正開封を確実に把握することができる。また、遊技機の背面側を正面視することで見えるような位置に可動部を設けることで、遊技機の背面側を正面視するだけでシール手段の損傷を発見することができる。さらに、カッター等のシール手段を切断するものを保護カバーと連動するようにして収容ボックスに設置したり、カッターを別途用意して開封の際にシール手段を切断したりする必要がなく、製造時等の安全性を確保することができる。また、例えば、保護カバーに連動する部材でシール手段の表面を損傷させる構成に比べ、製造誤差等が生じたとしても保護カバーの取外しに際して確実にシール手段を損傷させる（空振りしない）ことができる。
【０２２０】
尚、シール手段は、前記制御装置に関する識別情報を有していることとしてもよい。この場合、シール手段が識別情報を有するとは、シール手段の表面に識別情報が記されていたり、シール手段において、識別情報を記憶する記憶手段と、記憶手段に記憶されている識別情報を外部に出力する出力手段とが設けられていたりすることを意味する。
【０２２１】
また、「前記保護カバーを前記収容ボックスから取外さない限り、前記収容ボックスを開封不可能に構成されていること」としてもよい。この場合、収容ボックスの開放に際して保護カバーを取外す必要があり、従って、シール手段がより確実に損傷することとなる。さらに、シール手段は「前記第１構成部と前記第２構成部とにかけて固着されていること」としてもよい。この場合、保護カバーを取外さずに収容ボックスを開封しようとしても、収容ボックスの開封に際して保護カバーを収容ボックスから取外そうとしてもシール手段が確実に損傷することとなる。
【０２２２】
手段３．前記固定部は前記収容ボックスの本体部と一体的に形成され、前記可動部は前記収容ボックスの本体部とは別に形成されていることを特徴とする手段２に記載の遊技機。
【０２２３】
手段３によれば、保護カバーを取外しても、収容ボックスの本体部に損傷はないため、当該収容ボックスの本体部を使用して、制御装置を再度封印することができる。従って、収容ボックスを一度開封したら二度と本体部が使用できなくなるような構成に比べ、制御装置を再度封印する際の作業性の向上、省資源化等を図ることができる。
【０２２４】
手段４．前記第１及び第２構成部は前記第１構成部の方が前方に位置するようにして前後に配置され、
前記第２構成部は、前方に開口する略箱状の本体部と、当該本体部の外周面から突出する前記固着部とを備え、当該固着部は前記可動部と前記固定部とを備え、少なくとも当該固着部の後面に対して前記シール手段が前記可動部と前記固定部とにかけて固着されていることを特徴とする手段２又は３に記載の遊技機。
【０２２５】
手段４によれば、一般に遊技機の背面側に取付けられる収容ボックスの後面側を正面視するだけでシール手段の損傷の有無を確認することができる。従って、収容ボックスの不正開封の早期発見を図ることができる。
【０２２６】
尚、前記シール手段のうち前記第２構成部の前記固着部の後面に固着される部位の表面には識別情報が記されていることとしてもよい。この場合、シール手段の損傷がより気付き易くなったり、識別情報の確認する際の作業性の向上が図られたりする。また、第１構成部の固着部に関しても可動部及び固定部を備えていることとしてもよいが、この場合は構成の複雑化を招くおそれがあり、また、第２構成部に可動部を設けるだけでも保護カバーの取外しに際してシール手段を十分に損傷させ得ることから、第１構成部の固着部は固定部のみで構成されることが望ましい。
【０２２７】
手段６．前記シール手段のうち前記固定部に固着された部位が前記可動部に追従することを抑制する追従抑制手段を備えていることを特徴とする手段１乃至５のいずれかに記載の遊技機。
【０２２８】
手段６によれば、保護カバーを収容ボックスから取外す際に、シール手段のうち固定部に貼着された部位が可動部に付いていくことなく確実に固定部に残存させることができる。従って、シール手段をより確実に破断（切断）することができ、シール手段に痕跡を残すことで収容ボックスの不正開封を把握するといった上記作用効果が一層確実に奏される。
【０２２９】
手段５．前記保護カバーの取外し方向に対して直交する方向において、前記可動部は一対の前記固定部に挟まれるようにして設けられていることを特徴とする手段２乃至４のいずれかに記載の遊技機。
【０２３０】
手段５によれば、保護カバーを収容ボックスから取外す際に、可動部及び固定部に固着されたシール手段に対してせん断力が作用する部位を増やす（少なくとも２ラインとする）ことができ、１つの可動部と１つの固定部とにかけてシール手段が固着される場合に比べ、シール手段の損傷を識別し易くすることができる。従って、シール手段の損傷をより容易に発見することができる。さらに、可動部の移動方向を規定することができ（保護カバーの取外し方向のみとすることもでき）、可動部の位置が定まらないことに起因する不具合（シール手段を固着する前の可動部が脱落し易い、可動部に対してシール手段を好適に固着し難くなる、保護カバーと可動部とを連結する場合の連結作業が困難になる等）を抑止することができる。尚、可動部及び固定部のうち一方には、保護カバーの取外し方向に沿って延設されたレール溝が形成され、他方にはレール溝の内側に進入する突部（突条部）が形成されていることとしてもよい。
【０２３１】
手段６．前記保護カバーと前記可動部とを連結する連結手段を備え、
前記連結手段は、前記保護カバーと前記可動部とを連結した後、前記保護カバー及び前記可動部から取外し不可能に構成され、
前記シール手段の少なくとも一部（中央部が望ましい）は、前記可動部のうち前記連結手段によって連結される部位の前記保護カバーの取外し方向側に位置していることを特徴とする手段２乃至５のいずれかに記載の遊技機。
【０２３２】
手段６によれば、保護カバーと可動部とが連動しないように保護カバーを取外すといった行為を確実に防止することができる。また、保護カバーの取外しに際して可動部が変位しても、シール手段のうち可動部に固着される部位と固定部に固着される部位とが完全に分断されなかった場合、連結手段でシール手段を引っ掛けて、シール手段の損傷の度合いを大きくする（場合によっては破る）ことができる。従って、シール手段の再使用をより確実に不可能とすることができる。
【０２３３】
手段７．前記シール手段は、前記収容ボックスに固着されるシール部と、前記制御装置に関する識別情報を記憶する記憶手段と、前記記憶手段に記憶されている識別情報を外部に出力可能なアンテナ部と、前記記憶手段と前記アンテナ部とを電気的に接続する回路構成部とを備え、
前記回路構成部が一部でも分断されると、前記記憶手段に記憶されている識別情報を外部に出力することが不可能となる構成であって、
前記シール手段は、前記回路構成部が前記可動部と前記固定部とに跨るようにして固着されていることを特徴とする手段２乃至６のいずれかに記載の遊技機。
【０２３４】
手段７によれば、保護カバーを取外した場合に、シール手段の回路構成部が破壊され易く、破壊された場合には、スキャナー等で識別情報を読み取ることができなくなる。従って、収容ボックスが不正開封されたことをより確実に把握することができる。尚、記憶手段は可動部において配置されていることとしてもよい。
【０２３５】
手段８．前記保護カバーと前記可動部とを連結する連結手段を備え、
前記工具挿入部は、前記保護カバーと前記収容ボックスの本体部との連接部において、前記保護カバー及び前記収容ボックスの本体部のうち少なくとも一方に凹部が形成されることで構成され、
前記工具挿入部に工具を挿入することで、工具の先端部を前記保護カバー又は／及び前記可動部の前記保護カバーの取外し方向とは反対側の面に当接可能に構成されていることを特徴とする手段１乃至７のいずれかに記載の遊技機。
【０２３６】
手段８によれば、工具挿入部に工具を差し入れて、工具のうち、保護カバー又は可動部に当接する部位を作用点とし、収容ボックスに当接する部位を支点として、てこの要領で保護カバーを取外すことができる。従って、保護カバーを手で引っ張って取外す場合に比べ、保護カバーの取外しに要する力を低減させることができ、保護カバーの取外しに際しての作業性を向上させることができる。
【０２３７】
尚、工具挿入部に挿入された工具によって保護カバーを押圧することでも上記作用効果が奏されるため、必ずしも工具係合部の形成位置と可動部の位置とが対応していなくてもよい。但し、工具の先端部を可動部に当接可能とすることで、シール手段によって移動が規制されている可動部に直接力を加えることができ、よりスムースに保護カバーの取外しを行うことができる上、保護カバーへの負担が軽減されるため、保護カバーを極力薄肉とすることができる。また、前記連結手段は前記保護カバー及び前記可動部よりも硬質な材料で構成され、前記連結手段は、前記保護カバーの取外し方向において、前記工具挿入部に隣接して設けられていることとしてもよい。この場合、保護カバーの取外しに際して工具に押圧される部位の剛性を高めることができ、工具に押圧された部位が破損し、てこの要領で取外しができなくなってしまうといった事態を抑制することができる。
【０２３８】
手段９．前記工具挿入部は少なくとも前記収容ボックスの本体側に前記凹部が形成されることで構成され、
当該凹部は、工具の前記工具挿入部への挿入方向において、前記収容ボックスの本体部の端縁から前記収容ボックスの本体部のうち前記保護カバーの取外し方向において前記保護カバー又は／及び前記可動部と対向する位置にまで延設されていることを特徴とする手段８に記載の遊技機。
【０２３９】
上記のように保護カバーはシール手段を覆う構成であるため、保護カバーに対して工具挿入部用の凹部を形成するとなると、その分だけ保護カバーでシール手段を覆うことのできる面積が減少する。つまり、シール手段が露出しないようにシール手段が固着される固着部を形成したり、保護カバーに工具挿入部用の凹部が形成された分だけ保護カバーを大きくしたりする必要が生じ、保護カバー、ひいては保護カバーが装着されて一体となった収容ボックス全体の大型化が懸念される。これに対し、手段９によれば、工具挿入部用の凹部が少なくとも収容ボックスの本体側に形成されているため、かかる不具合を抑制することができる。
【０２４０】
また、収容ボックスの本体部に形成された工具挿入部用の凹部は、工具の工具挿入部への挿入方向において、収容ボックスの本体部の端縁から保護カバー又は及び可動部と対向する位置にまで延設されている。このため、凹部の内側において工具の先端部を滑らすようにしてスムースに工具の先端部を保護カバーや可動部と当接可能な位置まで移動させることができる上、てこの要領で保護カバーを取外す際に、工具のうち支点となる部位が凹部の内側に位置して、当該部位の位置ずれを防止することができる。従って、保護カバーの取り外し作業性の向上をより一層図ることができる。尚、工具挿入部を構成する凹部が収容ボックス側に形成されていなくても、前記収容ボックスの本体部の端縁であって、かつ、工具の前記工具挿入部への挿入方向における工具挿入部の延長線上の位置に対して凹部を形成することで、工具の支点の位置ずれを規制するといった作用効果が奏される。
【０２４１】
手段１０．前記工具挿入部は、前記保護カバーの前記シール手段と対向する位置においてスリットを形成することで構成され、前記工具挿入部に工具を挿入して当該工具の先端部を前記シール手段に圧接させつつスライド可能に構成されていることを特徴とする手段１乃至７のいずれかに記載の遊技機。
【０２４２】
手段１０によれば、保護カバーの取外しに際して（取外しに先立って）工具挿入部にカッター等の工具を挿入し、シール手段を切り込むことができる。従って、シール手段が固着された可動部を変位させるために要する力を減少させることができ、保護カバーの取外しに際しての作業性を向上させることができる。また、シール手段に切り込みが形成されることによって、保護カバーを収容ボックスから取外す際に、シール手段のうち固定部に貼着された部位が可動部に付いていくことなく固定部に残存し易くなる。従って、シール手段をより破断（切断）され易くなり、シール手段に痕跡を残すことで収容ボックスの不正開封を把握するといった上記作用効果が一層確実に奏される。
【０２４３】
尚、「前記固着部には前記工具係合部としてのスリットに対向して溝状部が形成されていること」としてもよい。この場合、溝状部の形成位置においてシール手段と固着部との間に隙間を形成することができ、カッター等の工具でシール手段をより切り込み易くすることができる。また、手段２に対応して、「前記工具係合部としてのスリットは、前記可動部と前記固定部との境界部と対向する部位又はその近傍部位に形成されていること」としてもよい。この場合、シール手段に切込みを入れて可動部を変位し易くする（保護カバーを取外し易くする）といった作用効果が一層確実に奏される。さらに、「前記シール手段は、前記収容ボックスに固着されるシール部と、前記制御装置に関する識別情報を記憶する記憶手段と、前記記憶手段に記憶されている識別情報を外部に出力可能とするアンテナ部と、前記記憶手段と前記アンテナ部とを電気的に接続する回路構成部とを備え、前記回路構成部が切断されると前記記憶手段に記憶されている識別情報を出力不可能となる構成において、前記工具挿入部としてのスリットは、前記回路構成部と対向する位置に形成されていること」としてもよい。この場合、工具によって確実に回路構成部が切断される。
【０２４４】
手段１１．前記工具挿入部から工具を挿入させても、工具によって前記シール手段を２つ以上に切断することができないように構成されていることを特徴とする手段１０に記載の遊技機。
【０２４５】
手段１１によれば、工具によってシール手段が完全に切断されることを防止することができる。つまり、工具でシール手段に切込みを形成できるものの、シール手段は完全に切断されたわけではなく繋がっており、このため、保護カバーを取外すことで、シール手段にシワ等の比較的目立つ痕跡を形成することができる。従って、保護カバーを取外した場合においてもシール手段の切り口が比較的きれいであることに起因して、当該保護カバーを再度収容ボックスに取付けても、シール手段の損傷が発見し難いといった事態を防止することができる。
【０２４６】
手段１２．前記保護カバーと前記可動部とを連結する連結手段を備え、前記工具挿入部としてのスリットは、少なくとも前記シール手段のうち前記可動部の前記保護カバーの取外し方向側の面に固着された部位に対向して形成されていることを特徴とする手段１０又は１１に記載の遊技機。
【０２４７】
手段１２のように、可動部の保護カバーの取外し方向側の面にもシール手段が固着されることで、保護カバーとともに可動部が変位すると確実にシール手段が損傷させられることになる。しかしながら、この場合、可動部の保護カバーの取外し方向側にシール手段の壁ができてしまい、可動部を保護カバーの取外し方向側に変位させ難くなる。これに対し、本手段１２では、シール手段のうち可動部の保護カバーの取外し方向側の面に固着された部位に対向して工具挿通部としてのスリットが形成されているため、当該スリットを介してシール手段を切り込むことで、シール手段により可動部の移動を規制する力を飛躍的に弱めることができる。従って、可動部の保護カバーの取外し方向側にシール手段が位置する場合であっても、保護カバーを取外す際の作業性の向上を図ることができる。
【０２４８】
手段１３．前記収容ボックスの本体部には、前記保護カバーとの連接部位において、前記保護カバーの周縁部を外側から覆う被覆リブが設けられていることを特徴とする手段１乃至１２のいずれかに記載の遊技機。
【０２４９】
手段１３によれば、収容ボックスの本体部と保護カバーとの間から固着部を切断して固着部ごと保護カバーを取外し、収容ボックスを不正開封した後、接着剤を用いて固着部を収容ボックスの本体部に接着し、シール手段に痕跡を残すことなく収容ボックスを再封印するといった行為を抑制することができる。尚、被覆リブは、ある程度強い力が付加されたり、本体部から切り離されたりした場合に破損するように（例えば、薄肉にする、本体部からの突出長を極力短く（例えば３ｍｍ以下）とする等）設計されることが望ましい。
【０２５０】
また、上記手段１乃至手段１３に記載の遊技機のうち、保護カバーと可動部とが連結手段により連結されていない構成において、以下の手段に記載の構成を適用することも可能である。
【０２５１】
手段１４．前記可動部は、前記保護カバーに連動して、前記固定部の前記シール手段の固着面に対して交差する方向に傾倒変位することを特徴とする遊技機。
【０２５２】
手段１４によれば、保護カバーの取外しに際して保護カバーに連動した可動部が固定部に対して相対変位する際に、シール手段の比較的広範囲にわたりほぼ均等なせん断力が作用するのではなく、シール手段の端縁に対して最も大きなせん断力を作用させることができる。これにより、シール手段の端縁から比較的スムースにシール手段が連続的に破断されて行き易い。従って、シール手段をより破断し易くすることができるとともに、保護カバーの取外しに要する力を低減させることができる。
【０２５３】
尚、保護カバーに連結される押圧ピースを設け、可動部は押圧ピースの保護カバーの取外し方向側に位置し、保護カバーを取外し方向に移動させることに伴って同方向に移動する押圧ピースと可動部とが圧接し、可動部が押圧ピースに押圧されて固定部の固着面に対して交差する方向に傾倒変位することとしてもよい。尚、可動部がなくても押圧ピースでシール手段を損傷させることが可能であるが、シール手段の固着状態が不安定になる、固着作業性の低下を招く、きれいに固着させることが困難になる等の不具合を招くおそれがある。
【０２５４】
さらに、上記手段１乃至手段１３に記載の遊技機のうち、保護カバーと可動部とが連結手段により連結される構成において、以下の手段に記載の構成を適用することも可能である。
【０２５５】
手段１５．前記連結手段は、当該連結手段の脱着が行われる際に工具と係合可能な第１係合部及び第２係合部を備え、
前記保護カバーと前記可動部との連結に際しては、前記第１係合部に工具を係合させることで前記連結手段を前記保護カバー及び前記可動部に取付けることができ、
前記第１係合部は、前記連結手段から離脱可能に構成され、前記保護カバーと前記可動部との連結後、前記連結手段から離脱され、
前記第２係合部は、前記保護カバーの前記収容ボックスへの取付状態において接触不可能な位置に配置されるとともに、前記保護カバーを前記収容ボックスから取外した状態において接触可能に露出され、工具と係合可能な状態とされることを特徴とする遊技機。
【０２５６】
手段１５によれば、収容ボックスから保護カバーを取外した後、保護カバー及び可動部から連結手段を取外すことができる。従って、保護カバー及び可動部の再利用が可能となる。
【０２５７】
以下に、上記各手段が適用される各種遊技機の基本構成を示す。
【０２５８】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０２５９】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０２６０】
Ｃ．上記各手段における前記遊技機、又は、上記各弾球遊技機は、パチンコ機又はパチンコ機に準ずる遊技機であること。
【０２６１】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【０２６２】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【符号の説明】
【０２６３】
１０…パチンコ機、３２…可変入賞装置、３３…始動入賞ユニット、４２…装飾図柄表示装置、４３Ｌ，４３Ｒ…特別表示装置、２６１…主制御装置、２６３…基板ボックス、２６３ａ…ボックスベース、２６３ｂ…ボックスカバー、４０７…ベース側板状部、４２１…カバー本体、４２２…縁壁部、４３４…カバー側板状部、４４１…固定部、４４４…可動部、４５１…封印シール、４５４…ＩＣチップ、４５５…アンテナ部、４５６…回路構成部、４６１…保護カバー、４６５…カバー側凹部、４６８…破断ねじ、４６９…工具挿入部、４７０…本体側凹部、７０１…保護カバー、７０２…スリット、７１１…カバー側板状部、７１３…上固定部、７１４…下固定部、７１６…連結部、７２０…押圧ピース、７２２…保護カバー、４７７…皿ねじ。
【図１】
2014166410.tif 000003
【図２】
2014166410.tif 000004
【図３】
2014166410.tif 000005
【図４】
2014166410.tif 000006
【図５】
2014166410.tif 000007
【図６】
2014166410.tif 000008
【図７】
2014166410.tif 000009
【図８】
2014166410.tif 000010
【図９】
2014166410.tif 000011
【図１０】
2014166410.tif 000012
【図１１】
2014166410.tif 000013
【図１２】
2014166410.tif 000014
【図１３】
2014166410.tif 000015
【図１４】
2014166410.tif 000016
【図１５】
2014166410.tif 000017
【図１６】
2014166410.tif 000018
【図１７】
2014166410.tif 000019
【図１８】
2014166410.tif 000020
【図１９】
2014166410.tif 000021